(57)【要約】【課題】ユーザがより正確にシステムを管理することができるようにする。【解決手段】  送信部３２のフィルタ部４４は、送信制御部５１より供給される制御信号に基づいて動作し、例えば、取得した２．４ＧＨｚ帯の送信信号に対してローパスフィルタ処理を行い、送信信号の高調波成分を削除したり、取得した５ＧＨｚ帯の送信信号に対してスルー回路として動作したりする。また、受信部３３のフィルタ部４７は、受信制御部５２より供給される制御信号に基づいて動作し、例えば、取得した２．４ＧＨｚ帯の受信信号に対して、スルー回路として動作したり、取得した５ＧＨｚ帯の受信信号に対してハイパスフィルタ処理を行い、受信信号の低周波成分を削除したりする。本発明は、例えば、無線通信部に適用できる。【選択図】図２
2005136896.tif 000002
【特許請求の範囲】
【請求項１】
第１の周波数帯域の第１の信号と、前記第１の周波数帯域より高周波の帯域である第２の周波数帯域の第２の信号とを送受信する送受信装置において、
前記第１の信号および前記第２の信号を生成するとともに、前記第１の信号および前記第２の信号の送信を制御する送信制御手段と、
前記送信制御手段により生成され、送信が制御された前記第１の信号または前記第２の信号のいずれか一方を選択して増幅する第１の増幅手段と、
前記第１の増幅手段により前記第１の信号が増幅される場合、前記第１の増幅手段により増幅された前記第１の信号に含まれる前記第１の周波数帯域以外の周波数成分が遮断または低減されるように第１のフィルタ処理を行う第１のフィルタ手段と、
前記第１の信号または前記第２の信号の受信を制御する受信制御手段と、
前記第１の信号および前記第２の信号を含む第３の信号を取得する取得手段と、
前記受信制御手段により受信が制御されて前記第２の信号を受信する場合、前記取得手段により取得された前記第３の信号の、前記第２の周波数帯域以外の周波数成分が遮断または低減されるように第２のフィルタ処理を行う第２のフィルタ手段と、
前記第２のフィルタ手段により前記第２のフィルタ処理が行われた前記第３の信号を増幅する第２の増幅手段と、
前記第２の増幅手段により増幅された前記第３の信号を用いて前記第１の信号または前記第２の信号を抽出する抽出手段と
を備えることを特徴とする送受信装置。
【請求項２】
前記第１のフィルタ手段は、前記第１の信号の、前記第２の信号の妨害波となる周波数成分を遮断または低減させるように前記第１のフィルタ処理を行う
ことを特徴とする請求項１に記載の送受信装置。
【請求項３】
前記第１のフィルタ手段は、所定の周波数以上の周波数成分を遮断または低減させるように前記第１のフィルタ処理を行い、前記第１の周波数帯の周波数成分は通過させ、前記第２の周波数帯の周波数成分を遮断または低減させる
ことを特徴とする請求項１に記載の送受信装置。
【請求項４】
前記第１のフィルタ手段は、所定の周波数付近の周波数成分を遮断または低減させるように前記第１のフィルタ処理を行い、前記第１の周波数帯の周波数成分は通過させ、前記第２の周波数帯の周波数成分を遮断または低減させる
ことを特徴とする請求項１に記載の送受信装置。
【請求項５】
前記第１のフィルタ手段は、所定の周波数付近の周波数成分のみを通過させるように前記第１のフィルタ処理を行い、前記第１の周波数帯の周波数成分は通過させ、前記第２の周波数帯の周波数成分を遮断または低減させる
ことを特徴とする請求項１に記載の送受信装置。
【請求項６】
前記第１のフィルタ手段は、前記第１の増幅手段により前記第２の信号が増幅される場合、前記第１の増幅手段により増幅された前記第２の信号に対して前記第１のフィルタ処理を行わず、通過させる
ことを特徴とする請求項１に記載の送受信装置。
【請求項７】
前記第１のフィルタ手段は、前記送信制御手段による制御に基づいて、前記第１の増幅手段により増幅された信号が前記第１の信号であるか、前記第２の信号であるかを判定し、前記判定結果に基づいて前記第１のフィルタ処理を行う
ことを特徴とする請求項１に記載の送受信装置。
【請求項８】
前記第１のフィルタ手段は、受動素子により構成されるパッシブフィルタである
ことを特徴とする請求項１に記載の送受信装置。
【請求項９】
前記第２のフィルタ手段は、前記第３の信号に含まれる前記第１の信号を遮断または低減させるように前記第２のフィルタ処理を行う
ことを特徴とする請求項１に記載の送受信装置。
【請求項１０】
前記第２のフィルタ手段は、所定の周波数以下の周波数成分を遮断または低減させるように前記第２のフィルタ処理を行い、前記第２の周波数帯の周波数成分は通過させ、前記第１の周波数帯の周波数成分を遮断または低減させる
ことを特徴とする請求項１に記載の送受信装置。
【請求項１１】
前記第２のフィルタ手段は、所定の周波数付近の周波数成分を遮断または低減させるように前記第２のフィルタ処理を行い、前記第１の周波数帯の周波数成分は遮断または低減させ、前記第２の周波数帯の周波数成分を通過させる
ことを特徴とする請求項１に記載の送受信装置。
【請求項１２】
前記第２のフィルタ手段は、所定の周波数付近の周波数成分のみを通過させるように前記第２のフィルタ処理を行い、前記第１の周波数帯の周波数成分は遮断または低減させ、前記第２の周波数帯の周波数成分を通過させる
ことを特徴とする請求項１に記載の送受信装置。
【請求項１３】
前記第２のフィルタ手段は、前記抽出手段により前記第１の信号が抽出される場合、前記取得手段により取得された前記第３の信号に対して前記第２のフィルタ処理を行わず、通過させる
ことを特徴とする請求項１に記載の送受信装置。
【請求項１４】
前記第２のフィルタ手段は、前記受信制御手段による制御に基づいて、前記抽出手段により抽出される信号が前記第１の信号であるか、前記第２の信号であるかを判定し、前記判定結果に基づいて前記第２のフィルタ処理を行う
ことを特徴とする請求項１に記載の送受信装置。
【請求項１５】
前記第２のフィルタ手段は、受動素子により構成されるパッシブフィルタである
ことを特徴とする請求項１に記載の送受信装置。
【請求項１６】
第１の周波数帯域の第１の信号と、前記第１の周波数帯域より高周波の帯域である第２の周波数帯域の第２の信号とを送信する送信装置において、
前記第１の信号および前記第２の信号を生成するとともに、前記第１の信号および前記第２の信号の送信を制御する送信制御手段と、
前記送信制御手段により生成され、送信が制御された前記第１の信号または前記第２の信号のいずれか一方を選択して増幅する増幅手段と、
前記増幅手段により前記第１の信号が増幅される場合、前記増幅手段により増幅された前記第１の信号に含まれる前記第１の周波数帯域以外の周波数成分が遮断または低減されるようにフィルタ処理を行うフィルタ手段と
を備えることを特徴とする送信装置。
【請求項１７】
前記フィルタ手段は、前記第１の信号の、前記第２の信号の妨害波となる周波数成分を遮断または低減させるように前記フィルタ処理を行う
ことを特徴とする請求項１６に記載の送信装置。
【請求項１８】
前記フィルタ手段は、所定の周波数以上の周波数成分を遮断または低減させるように前記フィルタ処理を行い、前記第１の周波数帯の周波数成分は通過させ、前記第２の周波数帯の周波数成分を遮断または低減させる
ことを特徴とする請求項１６に記載の送信装置。
【請求項１９】
前記フィルタ手段は、所定の周波数付近の周波数成分を遮断または低減させるように前記フィルタ処理を行い、前記第１の周波数帯の周波数成分は通過させ、前記第２の周波数帯の周波数成分を遮断または低減させる
ことを特徴とする請求項１６に記載の送信装置。
【請求項２０】
前記フィルタ手段は、所定の周波数付近の周波数成分のみを通過させるように前記フィルタ処理を行い、前記第１の周波数帯の周波数成分は通過させ、前記第２の周波数帯の周波数成分を遮断または低減させる
ことを特徴とする請求項１６に記載の送信装置。
【請求項２１】
前記フィルタ手段は、前記増幅手段により前記第２の信号が増幅される場合、前記増幅手段により増幅された前記第２の信号に対して前記フィルタ処理を行わず、通過させる
ことを特徴とする請求項１６に記載の送信装置。
【請求項２２】
前記フィルタ手段は、前記送信制御手段による制御に基づいて、前記増幅手段により増幅された信号が前記第１の信号であるか、前記第２の信号であるかを判定し、前記判定結果に基づいて前記フィルタ処理を行う
ことを特徴とする請求項１６に記載の送信装置。
【請求項２３】
前記フィルタ手段は、受動素子により構成されるパッシブフィルタである
ことを特徴とする請求項１６に記載の送信装置。
【請求項２４】
第１の周波数帯域の第１の信号と、前記第１の周波数帯域より高周波の帯域である第２の周波数帯域の第２の信号とを受信する受信装置において、
前記第１の信号または前記第２の信号の受信を制御する受信制御手段と、
前記第１の信号および前記第２の信号を含む第３の信号を取得する取得手段と、
前記受信制御手段により受信が制御されて前記第２の信号を受信する場合、前記取得手段により取得された前記第３の信号の、前記第２の周波数帯域以外の周波数成分が遮断または低減されるようにフィルタ処理を行うフィルタ手段と、
前記フィルタ手段により前記フィルタ処理が行われた前記第３の信号を増幅する増幅手段と、
前記増幅手段により増幅された前記第３の信号を用いて前記第１の信号または前記第２の信号を抽出する抽出手段と
を備えることを特徴とする受信装置。
【請求項２５】
前記フィルタ手段は、前記第３の信号に含まれる前記第１の信号を遮断または低減させるように前記フィルタ処理を行う
ことを特徴とする請求項２４に記載の受信装置。
【請求項２６】
前記フィルタ手段は、所定の周波数以下の周波数成分を遮断または低減させるように前記フィルタ処理を行い、前記第２の周波数帯の周波数成分は通過させ、前記第１の周波数帯の周波数成分を遮断または低減させる
ことを特徴とする請求項２４に記載の受信装置。
【請求項２７】
前記フィルタ手段は、所定の周波数付近の周波数成分を遮断または低減させるように前記フィルタ処理を行い、前記第１の周波数帯の周波数成分は遮断または低減させ、前記第２の周波数帯の周波数成分を通過させる
ことを特徴とする請求項２４に記載の受信装置。
【請求項２８】
前記フィルタ手段は、所定の周波数付近の周波数成分のみを通過させるように前記フィルタ処理を行い、前記第１の周波数帯の周波数成分は遮断または低減させ、前記第２の周波数帯の周波数成分を通過させる
ことを特徴とする請求項２４に記載の受信装置。
【請求項２９】
前記フィルタ手段は、前記抽出手段により前記第１の信号が抽出される場合、前記取得手段により取得された前記第３の信号に対して前記フィルタ処理を行わず、通過させる
ことを特徴とする請求項２４に記載の受信装置。
【請求項３０】
前記フィルタ手段は、前記受信制御手段による制御に基づいて、前記抽出手段により抽出される信号が前記第１の信号であるか、前記第２の信号であるかを判定し、前記判定結果に基づいて前記フィルタ処理を行う
ことを特徴とする請求項２４に記載の受信装置。
【請求項３１】
前記フィルタ手段は、受動素子により構成されるパッシブフィルタである
ことを特徴とする請求項２４に記載の受信装置。
【発明の詳細な説明】
【技術分野】
【０００１】
本発明は、送受信装置、送信装置、および受信装置に関し、特に、複数の周波数帯域の信号を送受信する場合に用いて好適な送受信装置、送信装置、および受信装置に関する。
【背景技術】
【０００２】
近年、情報通信技術の向上に伴い、有線または無線のネットワーク化が進み、WAN（Wide Area Network）やLAN（Local Area Network）が普及している。有線LANの規格としては、Ethernet（登録商標）を用いたIEEE（Institute of Electrical and Electronic Engineers）802.3x等がある。これに対して無線通信を利用してネットワークを構築する無線LANの規格としては、IEEE802.11xがある。
【０００３】
IEEE802.11xには、例えば、５ＧＨz帯域を利用し、変調方式としてOFDM（Orthogonal Frequency Division Multiplexing）を採用した、最大５４Mbps（Mega Bits Per Second）の伝送速度で通信可能な規格であるIEEE802.11a、2.4GHz帯域を利用し、変調方式としてDS-SS（Direct Sequence Spectrum Spread）を採用した、最大１１Mbpsで通信可能なIEEE802.11b、2.4GHz帯域を利用し、変調方式としてOFDMを採用した、最大５４Mbpsで通信可能なIEEE802.11g等がある。
【０００４】
これらの無線LAN通信規格は、最大通信速度や通信可能範囲などにおいてそれぞれに特徴があり、現在、これらのいずれの規格に基づいた無線LANも存在し、用途などに応じて選択されている。すなわち、例えば、一般家庭内等におけるネットワーク（家庭内ネットワーク）において５ＧＨz帯域を利用したIEEE802.11aに基づく無線LANと、2.4GHz帯域を利用したIEEE802.11bに基づく無線LANとの両方が構築される等、同一の領域において、規格が異なる複数の無線LANが設けられている場合もあり、ユーザが１台の情報処理装置（例えば、パーソナルコンピュータ）を用いて、これらの複数の無線LANにアクセスすることもある。
【０００５】
また、上述した互いに異なる規格の複数の無線LANが、互いに異なる場所に構築されていても、例えば、携帯可能なノート型パーソナルコンピュータやPDA（Personal Digital Assistants）等を用いるユーザが、場所を移動して、それぞれの無線LANに接続する場合もある。例えば、家庭内において、ノート型パーソナルコンピュータをIEEE802.11aに基づく無線LANに接続させていたユーザが、そのノート型パーソナルコンピュータを持ち出し、IEEE802.11bに基づく無線LANが構築されている喫茶店に移動して、そのIEEE802.11bに基づく無線LANにノート型パーソナルコンピュータを接続させるといったことが考えられる。
【０００６】
このような無線LANにおいて、例えば、ルータを用いてネットワークを構築する場合（インフラストラクチャの場合）、ネットワーク側（ルータ側）には、上述した無線LAN通信規格に準ずる仕様の無線通信機能を有するアクセスポイントが設置されており、上述した無線LAN通信規格に準ずる仕様の、端末用の無線通信機能を有するLANカード等が装着されたパーソナルコンピュータ、または、このLANカードと同等の機能を内蔵したパーソナルコンピュータ等が、このアクセスポイントと無線通信を行うことにより、ネットワークが構築される。すなわち、この場合、各端末装置は、アクセスポイントを介して、有線のネットワークに接続されたり、他の端末装置と接続されたりする。しかしながら、例えば、IEEE802.11aは５ＧＨz帯域を利用し、IEEE802.11bとIEEE802.11gは２．４ＧＨz帯域を利用する等、規格間において通信処理に互換性が無い場合があり、アクセスポイントと、LANカード（端末装置の無線通信機能）の規格が一致している必要がある。
【０００７】
上述したように、複数の無線LAN通信規格を用いて、複数のネットワークを構築する場合も考えられるし、１台の端末装置が互いに異なる無線LAN通信規格に基づいた複数のネットワークに接続される場合も考えられる。このような場合に、例えば、互いに異なる無線LAN通信規格に準ずる仕様の、複数のアクセスポイントを設けたり、１台の端末装置に、互いに異なる無線LAN通信規格に準ずる仕様の、複数の無線通信機能（LANカード等）を設けたりする方法が考えられるが、そのようにすると、その規格の数だけ製造コストや設置場所が増大してしまう。
【０００８】
これに対して、互いに異なる周波数帯を用いる複数の無線通信に対応したアクセスポイントやLANカード等がある。例えば、５ＧＨｚ帯を利用する無線通信機能と、２.４ＧＨｚ帯を利用する無線通信機能とを有し、IEEE802.11aとIEEE802.11bの両方の規格に対応したアクセスポイントや無線LANカード等がある。
【０００９】
このような通信装置において、製造コストや回路規模を低減させるために、周波数帯に関わらず同じ処理が行われる、信号の送受信に用いられるアンプやアンテナを共通化する方法がある（例えば、特許文献１参照）。このような無線通信装置の通信回路は、例えば、図１のように示される。
【００１０】
図１において、無線通信装置１は、ワイヤレスLAN（例えば、IEEE802.11b）とBluetooth（登録商標）の２つの無線通信規格に対応する復号無線機である。ワイヤレスLANとBluetoothは、いずれも、２．４ＧＨｚ帯の電波を利用する。
【００１１】
無線通信装置１において、ワイヤレスLANの送信信号を出力する場合、通信処理を制御するチップセット１１は、ワイヤレスLANの送信信号を、矢印１１Ａより出力し、ダイプレクサ１２を介してパワーアンプ１３に供給する。パワーアンプ１３は、供給された送信信号を増幅した後、その増幅した送信信号をスイッチ回路１４に供給する。スイッチ回路１４は、送信側のパワーアンプ１３とアンテナ１５を接続し、供給された送信信号をアンテナ１５より出力させる。
【００１２】
また、無線通信装置１において、Bluetoothの送信信号を出力する場合、通信処理を制御するチップセット１１は、Bluetoothの送信信号を、矢印１１Ｂより出力し、ダイプレクサ１２を介してパワーアンプ１３に供給する。パワーアンプ１３は、供給された送信信号を増幅した後、その増幅した送信信号をスイッチ回路１４に供給する。スイッチ回路１４は、送信側のパワーアンプ１３とアンテナ１５を接続し、供給された送信信号をアンテナ１５より出力させる。
【００１３】
逆に、無線通信装置１のアンテナ１５において信号が受信されると、受信信号は、スイッチ回路１４に供給される。スイッチ回路１４は、アンテナ１５とローノイズアンプ１６とを接続し、受信信号をローノイズアンプ１６に供給する。ローノイズアンプ１６は、受信信号を増幅した後、それをダイプレクサ１７に供給する。ダイプレクサ１７は、受信信号がワイヤレスLANの信号である場合、受信信号を、矢印１１Ｃを介してチップセット１１に供給し、チップセット１１に内蔵されるワイヤレスLANの処理部（図示せず）に供給する。また、受信信号がBluetoothの信号である場合、ダイプレクサ１７は、受信信号を、矢印１１Ｄを介してチップセット１１に供給し、チップセット１１に内蔵されるBluetoothの処理部（図示せず）に供給する。
【００１４】
このようにダイプレクサ１２およびダイプレクサ１７を用いることにより、ワイヤレスLANとBluetoothの両方の場合において、パワーアンプ１３、スイッチ回路１４、アンテナ１５、ローノイズアンプ１６を利用することができるので、無線通信装置１は、製造コスト、回路規模、および消費電力等を低減させることができる。
【００１５】
【特許文献１】特開２００２−２０８８７４号公報
【発明の開示】
【発明が解決しようとする課題】
【００１６】
しかしながら、以上のような方法において、互いに異なる周波数帯を利用する複数の通信方法、例えば、２．４ＧＨｚの周波数帯を利用する通信と５ＧＨｚの周波数帯を利用する通信との両方を用いて通信を行う、所謂デュアルバンドの無線通信装置の場合、２．４ＧＨｚの周波数帯の送信信号をパワーアンプで増幅すると、その送信信号の２倍の高調波成分が４．８ＧＨｚ帯に発生し、その高調波成分が最終的にアンテナより出力されてしまい、他の装置（例えば、他の無線装置や医療機器等）に影響を与えてしまう恐れがあるという課題があった。すなわち、スプリアス信号が大きすぎ、無線通信装置がTELEC（Telecom Engineering Center）の仕様を満たさない（JATE（Japan Approvals Institute for Telecommunications Equipment）の認可が下りない）恐れがあるという課題があった。
【００１７】
また、受信側においても、５ＧＨｚ帯の信号を受信する際に、２．４ＧＨｚ帯の周波数帯の信号を同時に受信した場合、その２．４ＧＨｚ帯の周波数帯の受信信号はローノイズアンプで増幅される。その際、受信信号の４．８ＧＨｚ帯の高調波成分も増幅され、５ＧＨｚ帯の受信信号の妨害波として、チップセット１１に供給されてしまうので、受信感度が低減してしまうという課題があった。
【００１８】
具体的には、２．４５ＧＨｚの信号の高調波成分は、４．９ＧＨｚとなる。なお、IEEE802.11aにおいて、現在、一般に使用される搬送波の周波数は、５．１５ＧＨz乃至５．２５ＧＨｚであるが、例えば、通信事業者がライセンス取得を前提に屋内外において利用可能な周波数帯には、４．９ＧＨｚ乃至５ＧＨｚと、５．０３ＧＨｚ乃至５．０９１ＧＨｚという周波数帯も含まれる（なお、これらの周波数帯については、今後、5.2GHz帯と組み合わせたホットスポット・サービス等への利用が予定されている）。従って、IEEE802.11bの高調波成分（４．９ＧＨｚ）がIEEE802.11aの周波数帯域に含まれる場合もある。そのような場合、上述したような干渉や妨害が発生する恐れがある。
【００１９】
本発明はこのような状況に鑑みてなされたものであり、互いに異なる周波数帯を利用する複数の無線通信を行う場合に、他の周波数帯との干渉を低減させながら、それらの複数の無線通信において送信回路および受信回路を共用させることができるようにするものである。
【課題を解決するための手段】
【００２０】
本発明の送受信装置は、第１の信号および第２の信号を生成するとともに、第１の信号および第２の信号の送信を制御する送信制御手段と、送信制御手段により生成され、送信が制御された第１の信号または第２の信号のいずれか一方を選択して増幅する第１の増幅手段と、第１の増幅手段により第１の信号が増幅される場合、第１の増幅手段により増幅された第１の信号に含まれる第１の周波数帯域以外の周波数成分が遮断または低減されるように第１のフィルタ処理を行う第１のフィルタ手段と、第１の信号または第２の信号の受信を制御する受信制御手段と、第１の信号および第２の信号を含む第３の信号を取得する取得手段と、受信制御手段により受信が制御されて第２の信号を受信する場合、取得手段により取得された第３の信号の、第２の周波数帯域以外の周波数成分が遮断または低減されるように第２のフィルタ処理を行う第２のフィルタ手段と、第２のフィルタ手段により第２のフィルタ処理が行われた第３の信号を増幅する第２の増幅手段と、第２の増幅手段により増幅された第３の信号を用いて第１の信号または第２の信号を抽出する抽出手段とを備えることを特徴とする。
【００２１】
前記第１のフィルタ手段は、第１の信号の、第２の信号の妨害波となる周波数成分を遮断または低減させるように第１のフィルタ処理を行うようにすることができる。
【００２２】
前記第１のフィルタ手段は、所定の周波数以上の周波数成分を遮断または低減させるように第１のフィルタ処理を行い、第１の周波数帯の周波数成分は通過させ、第２の周波数帯の周波数成分を遮断または低減させるようにすることができる。
【００２３】
前記第１のフィルタ手段は、所定の周波数付近の周波数成分を遮断または低減させるように第１のフィルタ処理を行い、第１の周波数帯の周波数成分は通過させ、第２の周波数帯の周波数成分を遮断または低減させるようにすることができる。
【００２４】
前記第１のフィルタ手段は、所定の周波数付近の周波数成分のみを通過させるように第１のフィルタ処理を行い、第１の周波数帯の周波数成分は通過させ、第２の周波数帯の周波数成分を遮断または低減させるようにすることができる。
【００２５】
前記第１のフィルタ手段は、第１の増幅手段により第２の信号が増幅される場合、第１の増幅手段により増幅された第２の信号に対して第１のフィルタ処理を行わず、通過させるようにすることができる。
【００２６】
前記第１のフィルタ手段は、送信制御手段による制御に基づいて、第１の増幅手段により増幅された信号が第１の信号であるか、第２の信号であるかを判定し、判定結果に基づいて第１のフィルタ処理を行うようにすることができる。
【００２７】
前記第１のフィルタ手段は、受動素子により構成されるパッシブフィルタであるようにすることができる。
【００２８】
前記第２のフィルタ手段は、第３の信号に含まれる第１の信号を遮断または低減させるように第２のフィルタ処理を行うようにすることができる。
【００２９】
前記第２のフィルタ手段は、所定の周波数以下の周波数成分を遮断または低減させるように第２のフィルタ処理を行い、第２の周波数帯の周波数成分は通過させ、第１の周波数帯の周波数成分を遮断または低減させるようにすることができる。
【００３０】
前記第２のフィルタ手段は、所定の周波数付近の周波数成分を遮断または低減させるように第２のフィルタ処理を行い、第１の周波数帯の周波数成分は遮断または低減させ、第２の周波数帯の周波数成分を通過させるようにすることができる。
【００３１】
前記第２のフィルタ手段は、所定の周波数付近の周波数成分のみを通過させるように第２のフィルタ処理を行い、第１の周波数帯の周波数成分は遮断または低減させ、第２の周波数帯の周波数成分を通過させるようにすることができる。
【００３２】
前記第２のフィルタ手段は、抽出手段により第１の信号が抽出される場合、取得手段により取得された第３の信号に対して第２のフィルタ処理を行わず、通過させるようにすることができる。
【００３３】
前記第２のフィルタ手段は、受信制御手段による制御に基づいて、抽出手段により抽出される信号が第１の信号であるか、第２の信号であるかを判定し、判定結果に基づいて第２のフィルタ処理を行うようにすることができる。
【００３４】
前記第２のフィルタ手段は、受動素子により構成されるパッシブフィルタであるようにすることができる。
【００３５】
本発明の送信装置は、第１の信号および第２の信号を生成するとともに、第１の信号および第２の信号の送信を制御する送信制御手段と、送信制御手段により生成され、送信が制御された第１の信号または第２の信号のいずれか一方を選択して増幅する増幅手段と、増幅手段により第１の信号が増幅される場合、増幅手段により増幅された第１の信号に含まれる第１の周波数帯域以外の周波数成分が遮断または低減されるようにフィルタ処理を行うフィルタ手段とを備えることを特徴とする。
【００３６】
前記フィルタ手段は、第１の信号の、第２の信号の妨害波となる周波数成分を遮断または低減させるようにフィルタ処理を行うようにすることができる。
【００３７】
前記フィルタ手段は、所定の周波数以上の周波数成分を遮断または低減させるようにフィルタ処理を行い、第１の周波数帯の周波数成分は通過させ、第２の周波数帯の周波数成分を遮断または低減させるようにすることができる。
【００３８】
前記フィルタ手段は、所定の周波数付近の周波数成分を遮断または低減させるようにフィルタ処理を行い、第１の周波数帯の周波数成分は通過させ、第２の周波数帯の周波数成分を遮断または低減させるようにすることができる。
【００３９】
前記フィルタ手段は、所定の周波数付近の周波数成分のみを通過させるようにフィルタ処理を行い、第１の周波数帯の周波数成分は通過させ、第２の周波数帯の周波数成分を遮断または低減させるようにすることができる。
【００４０】
前記フィルタ手段は、増幅手段により第２の信号が増幅される場合、増幅手段により増幅された第２の信号に対してフィルタ処理を行わず、通過させるようにすることができる。
【００４１】
前記フィルタ手段は、送信制御手段による制御に基づいて、増幅手段により増幅された信号が第１の信号であるか、第２の信号であるかを判定し、判定結果に基づいてフィルタ処理を行うようにすることができる。
【００４２】
前記フィルタ手段は、受動素子により構成されるパッシブフィルタであるようにすることができる。
【００４３】
本発明の受信装置は、第１の信号または第２の信号の受信を制御する受信制御手段と、第１の信号および第２の信号を含む第３の信号を取得する取得手段と、受信制御手段により受信が制御されて第２の信号を受信する場合、取得手段により取得された第３の信号の、第２の周波数帯域以外の周波数成分が遮断または低減されるようにフィルタ処理を行うフィルタ手段と、フィルタ手段によりフィルタ処理が行われた第３の信号を増幅する増幅手段と、増幅手段により増幅された第３の信号を用いて第１の信号または第２の信号を抽出する抽出手段とを備えることを特徴とする。
【００４４】
前記フィルタ手段は、第３の信号に含まれる第１の信号を遮断または低減させるようにフィルタ処理を行うようにすることができる。
【００４５】
前記フィルタ手段は、所定の周波数以下の周波数成分を遮断または低減させるようにフィルタ処理を行い、第２の周波数帯の周波数成分は通過させ、第１の周波数帯の周波数成分を遮断または低減させるようにすることができる。
【００４６】
前記フィルタ手段は、所定の周波数付近の周波数成分を遮断または低減させるようにフィルタ処理を行い、第１の周波数帯の周波数成分は遮断または低減させ、第２の周波数帯の周波数成分を通過させるようにすることができる。
【００４７】
前記フィルタ手段は、所定の周波数付近の周波数成分のみを通過させるようにフィルタ処理を行い、第１の周波数帯の周波数成分は遮断または低減させ、第２の周波数帯の周波数成分を通過させるようにすることができる。
【００４８】
前記フィルタ手段は、抽出手段により第１の信号が抽出される場合、取得手段により取得された第３の信号に対してフィルタ処理を行わず、通過させるようにすることができる。
【００４９】
前記フィルタ手段は、受信制御手段による制御に基づいて、抽出手段により抽出される信号が第１の信号であるか、第２の信号であるかを判定し、判定結果に基づいてフィルタ処理を行うようにすることができる。
【００５０】
前記フィルタ手段は、受動素子により構成されるパッシブフィルタであるようにすることができる。
【００５１】
本発明の送受信装置においては、第１の信号および第２の信号が生成されるとともに、第１の信号および第２の信号の送信が制御され、その生成され、送信が制御された第１の信号または第２の信号のいずれか一方が選択されて増幅され、第１の信号が増幅される場合、増幅された第１の信号に含まれる第１の周波数帯域以外の周波数成分が遮断または低減されるように第１のフィルタ処理が行われ、第１の信号または第２の信号の受信が制御され、第１の信号および第２の信号を含む第３の信号が取得され、受信が制御されて第２の信号が受信される場合、取得された第３の信号の、第２の周波数帯域以外の周波数成分が遮断または低減されるように第２のフィルタ処理が行われ、第２のフィルタ処理が行われた第３の信号が増幅され、増幅された第３の信号が用いられて第１の信号または第２の信号が抽出される。
【００５２】
本発明の送信装置においては、第１の信号および第２の信号が生成されるとともに、第１の信号および第２の信号の送信が制御され、その生成され、送信が制御された第１の信号または第２の信号のいずれか一方が選択されて増幅され、第１の信号が増幅される場合、増幅された第１の信号に含まれる第１の周波数帯域以外の周波数成分が遮断または低減されるようにフィルタ処理が行われる。
【００５３】
本発明の受信装置においては、第１の信号または第２の信号の受信が制御され、第１の信号および第２の信号を含む第３の信号が取得され、受信が制御されて第２の信号が受信される場合、取得された第３の信号の、第２の周波数帯域以外の周波数成分が遮断または低減されるようにフィルタ処理が行われ、フィルタ処理が行われた第３の信号が増幅され、増幅された第３の信号が用いられて第１の信号または第２の信号が抽出される。
【発明の効果】
【００５４】
本発明によれば、信号を送信、受信、または送受信ことができる。特に、互いに異なる周波数帯を利用する複数の無線通信を行う場合に、他の周波数帯との干渉を低減させながら、それらの複数の無線通信において送信回路および受信回路を共用させることができる。
【発明を実施するための最良の形態】
【００５５】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００５６】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定したりするものではない。
【００５７】
本発明においては、第１の周波数帯域（例えば、２．４ＧＨｚ帯）の第１の信号（例えば、IEEE802.11bに基づく信号）と、前記第１の周波数帯域より高周波の帯域である第２の周波数帯域（例えば、５ＧＨｚ帯）の第２の信号（例えば、IEEE802.11aに基づく信号）とを送受信する送受信装置（例えば、図２の無線通信部３１）が提供される。この送受信装置は、第１の信号および第２の信号を生成するとともに、第１の信号および第２の信号の送信を制御する送信制御手段（例えば、図２の送信制御部５１）と、送信制御手段により生成され、送信が制御された第１の信号または第２の信号のいずれか一方を選択して増幅する第１の増幅手段（例えば,図２のダイプレクサ回路４２および広帯域パワーアンプ４３）と、第１の増幅手段により第１の信号が増幅される場合、第１の増幅手段により増幅された第１の信号に含まれる第１の周波数帯域以外の周波数成分が遮断または低減されるように第１のフィルタ処理を行う第１のフィルタ手段（例えば、図２のフィルタ部４４）と、第１の信号または第２の信号の受信を制御する受信制御手段（例えば、図２の受信制御部５２）と、第１の信号および第２の信号を含む第３の信号を取得する取得手段（例えば、図２のアンテナ４６）と、受信制御手段により受信が制御されて第２の信号を受信する場合、取得手段により取得された第３の信号の、第２の周波数帯域以外の周波数成分が遮断または低減されるように第２のフィルタ処理を行う第２のフィルタ手段（例えば、図２のフィルタ部４７）と、第２のフィルタ手段により第２のフィルタ処理が行われた第３の信号を増幅する第２の増幅手段（例えば、図２の広帯域ローノイズアンプ４８）と、第２の増幅手段により増幅された第３の信号を用いて第１の信号または第２の信号を抽出する抽出手段（例えば、図２の２．４ＧＨｚ帯通信用受信制御部６３または５ＧＨｚ帯通信用受信制御部６４）とを備える。
【００５８】
前記第１のフィルタ手段は、第１の信号の、第２の信号の妨害波となる周波数成分を遮断または低減させるように第１のフィルタ処理を行う（例えば、図９のステップＳ６）ようにすることができる。
【００５９】
前記第１のフィルタ手段は、所定の周波数以上の周波数成分を遮断または低減させるように第１のフィルタ処理を行い（例えば、図４の入出力特性）、第１の周波数帯の周波数成分は通過させ、第２の周波数帯の周波数成分を遮断または低減させるようにすることができる。
【００６０】
前記第１のフィルタ手段は、所定の周波数付近の周波数成分を遮断または低減させるように第１のフィルタ処理を行い（例えば、図１４の入出力特性）、第１の周波数帯の周波数成分は通過させ、第２の周波数帯の周波数成分を遮断または低減させるようにすることができる。
【００６１】
前記第１のフィルタ手段は、所定の周波数付近の周波数成分のみを通過させるように第１のフィルタ処理を行い（例えば、バンドパスフィルタ）、第１の周波数帯の周波数成分は通過させ、第２の周波数帯の周波数成分を遮断または低減させるようにすることができる。
【００６２】
前記第１のフィルタ手段は、第１の増幅手段により第２の信号が増幅される場合、第１の増幅手段により増幅された第２の信号に対して第１のフィルタ処理を行わず、通過させる（例えば、図５の入出力特性）ようにすることができる。
【００６３】
前記第１のフィルタ手段は、送信制御手段による制御（例えば、図１１のステップＳ３２またはステップＳ３５）に基づいて、第１の増幅手段により増幅された信号が第１の信号であるか、第２の信号であるかを判定し（例えば、図９のステップＳ５）、判定結果に基づいて第１のフィルタ処理を行うようにすることができる。
【００６４】
前記第１のフィルタ手段は、受動素子により構成されるパッシブフィルタ（例えば、図３のフィルタ部４４）であるようにすることができる。
【００６５】
前記第２のフィルタ手段は、第３の信号に含まれる第１の信号を遮断または低減させるように第２のフィルタ処理を行う（例えば、図１０のステップＳ１５）ようにすることができる。
【００６６】
前記第２のフィルタ手段は、所定の周波数以下の周波数成分を遮断または低減させるように第２のフィルタ処理を行い（例えば、図７の入出力特性）、第２の周波数帯の周波数成分は通過させ、第１の周波数帯の周波数成分を遮断または低減させるようにすることができる。
【００６７】
前記第２のフィルタ手段は、所定の周波数付近の周波数成分を遮断または低減させるように第２のフィルタ処理を行い（例えば、図１４の入出力特性）、第１の周波数帯の周波数成分は遮断または低減させ、第２の周波数帯の周波数成分を通過させるようにすることができる。
【００６８】
前記第２のフィルタ手段は、所定の周波数付近の周波数成分のみを通過させるように第２のフィルタ処理を行い（例えば、バンドパスフィルタ）、第１の周波数帯の周波数成分は遮断または低減させ、第２の周波数帯の周波数成分を通過させるようにすることができる。
【００６９】
前記第２のフィルタ手段は、抽出手段により第１の信号が抽出される場合、取得手段により取得された第３の信号に対して第２のフィルタ処理を行わず、通過させる（例えば、図８の入出力特性）ようにすることができる。
【００７０】
前記第２のフィルタ手段は、受信制御手段による制御に基づいて、抽出手段により抽出される信号が第１の信号であるか、第２の信号であるかを判定し（例えば、図１０のステップＳ１４）、判定結果に基づいて第２のフィルタ処理を行うようにすることができる。
【００７１】
前記第２のフィルタ手段は、受動素子により構成されるパッシブフィルタ（例えば、図６のフィルタ部４７）であるようにすることができる。
【００７２】
本発明においては、第１の周波数帯域（例えば、２．４ＧＨｚ帯）の第１の信号（例えば、IEEE802.11bに基づく信号）と、前記第１の周波数帯域より高周波の帯域である第２の周波数帯域（例えば、５ＧＨｚ帯）の第２の信号（例えば、IEEE802.11aに基づく信号）とを送信する送信装置（例えば、図２の送信部３２）が提供される。この送信装置は、第１の信号および第２の信号を生成するとともに、第１の信号および第２の信号の送信を制御する送信制御手段（例えば、図２の送信制御部５１）と、送信制御手段により生成され、送信が制御された第１の信号または第２の信号のいずれか一方を選択して増幅する増幅手段（例えば、図２のダイプレクサ回路４２および広帯域パワーアンプ４３）と、増幅手段により第１の信号が増幅される場合、増幅手段により増幅された第１の信号に含まれる第１の周波数帯域以外の周波数成分が遮断または低減されるようにフィルタ処理を行う（例えば、図２のフィルタ部４４）フィルタ手段とを備える。
【００７３】
前記フィルタ手段は、第１の信号の、第２の信号の妨害波となる周波数成分を遮断または低減させるようにフィルタ処理を行う（例えば、図９のステップＳ６）ようにすることができる。
【００７４】
前記フィルタ手段は、所定の周波数以上の周波数成分を遮断または低減させるようにフィルタ処理を行い（例えば、図４の入出力特性）、第１の周波数帯の周波数成分は通過させ、第２の周波数帯の周波数成分を遮断または低減させるようにすることができる。
【００７５】
前記フィルタ手段は、所定の周波数付近の周波数成分を遮断または低減させるようにフィルタ処理を行い（例えば、図１４の入出力特性）、第１の周波数帯の周波数成分は通過させ、第２の周波数帯の周波数成分を遮断または低減させるようにすることができる。
【００７６】
前記フィルタ手段は、所定の周波数付近の周波数成分のみを通過させるようにフィルタ処理を行い（例えば、バンドパスフィルタ）、第１の周波数帯の周波数成分は通過させ、第２の周波数帯の周波数成分を遮断または低減させるようにすることができる。
【００７７】
前記フィルタ手段は、増幅手段により第２の信号が増幅される場合、増幅手段により増幅された第２の信号に対してフィルタ処理を行わず、通過させる（例えば、図５の入出力特性）ようにすることができる。
【００７８】
前記フィルタ手段は、送信制御手段による制御（例えば、図１１のステップＳ３２またはステップＳ３５）に基づいて、増幅手段により増幅された信号が第１の信号であるか、第２の信号であるかを判定し（例えば、図９のステップＳ５）、判定結果に基づいてフィルタ処理を行うようにすることができる。
【００７９】
前記フィルタ手段は、受動素子により構成されるパッシブフィルタ（例えば、図３のフィルタ部４４）であるようにすることができる。
【００８０】
本発明においては、第１の周波数帯域（例えば、２．４ＧＨｚ帯）の第１の信号（例えば、IEEE802.11bに基づく信号）と、前記第１の周波数帯域より高周波の帯域である第２の周波数帯域（例えば、５ＧＨｚ帯）の第２の信号（例えば、IEEE802.11aに基づく信号）とを受信する受信装置（例えば、図２の受信部３３）が提供される。この受信装置は、第１の信号または第２の信号の受信を制御する受信制御手段（例えば、図２の受信制御部５２）と、第１の信号および第２の信号を含む第３の信号を取得する取得手段（例えば、図２のアンテナ４６）と、受信制御手段により受信が制御されて第２の信号を受信する場合、取得手段により取得された第３の信号の、第２の周波数帯域以外の周波数成分が遮断または低減されるようにフィルタ処理を行うフィルタ手段（例えば、図２のフィルタ部４７）と、フィルタ手段によりフィルタ処理が行われた第３の信号を増幅する増幅手段（例えば、図２の広帯域ローノイズアンプ４８）と、増幅手段により増幅された第３の信号を用いて第１の信号または第２の信号を抽出する抽出手段（例えば、図２の２．４ＧＨｚ帯通信用受信制御部６３または５ＧＨｚ帯通信用受信制御部６４）とを備える。
【００８１】
前記フィルタ手段は、第３の信号に含まれる第１の信号を遮断または低減させるようにフィルタ処理を行う（例えば、図１０のステップＳ１５）ようにすることができる。
【００８２】
前記フィルタ手段は、所定の周波数以下の周波数成分を遮断または低減させるようにフィルタ処理を行い（例えば、図７の入出力特性）、第２の周波数帯の周波数成分は通過させ、第１の周波数帯の周波数成分を遮断または低減させるようにすることができる。
【００８３】
前記フィルタ手段は、所定の周波数付近の周波数成分を遮断または低減させるようにフィルタ処理を行い（例えば、図１４の入出力特性）、第１の周波数帯の周波数成分は遮断または低減させ、第２の周波数帯の周波数成分を通過させるようにすることができる。
【００８４】
前記フィルタ手段は、所定の周波数付近の周波数成分のみを通過させるようにフィルタ処理を行い（例えば、バンドパスフィルタ）、第１の周波数帯の周波数成分は遮断または低減させ、第２の周波数帯の周波数成分を通過させるようにすることができる。
【００８５】
前記フィルタ手段は、抽出手段により第１の信号が抽出される場合、取得手段により取得された第３の信号に対してフィルタ処理を行わず、通過させる（例えば、図８の入出力特性）ようにすることができる。
【００８６】
前記フィルタ手段は、受信制御手段による制御に基づいて、抽出手段により抽出される信号が第１の信号であるか、第２の信号であるかを判定し（例えば、図１０のステップＳ１４）、判定結果に基づいてフィルタ処理を行うようにすることができる。
【００８７】
前記フィルタ手段は、受動素子により構成されるパッシブフィルタ（例えば、図６のフィルタ部４７）であるようにすることができる。
【００８８】
以下に、本発明の実施の形態について図面を参照して説明する。
【００８９】
図２は、本発明を適用した無線通信部の構成例を表している。図２において無線通信部３１は、例えば、後述するようにアクセスポイントやLANカード等の通信装置に内蔵される、デュアルバンドの無線通信部であり、送信処理を行う送信部３２、および、受信処理を行う受信部３３よりなる。
【００９０】
無線通信部３１には、通信処理の制御を行う通信制御部４１、通信制御部４１より供給される、互いに異なる周波数帯域の２つの送信信号の内、一方を広帯域パワーアンプ４３に供給するダイプレクサ回路４２、ダイプレクサ回路４２より供給された送信信号を増幅する広帯域パワーアンプ４３、通信制御部４１の送信制御部５１に制御されて、広帯域パワーアンプ４３の出力にフィルタ処理を施すフィルタ部４４、アンテナ４６を送信側の回路または受信側の回路に接続するスイッチ回路４５、通信制御部４１の受信制御部５２に制御されて、スイッチ回路４５を介して供給される受信信号に対してフィルタ処理を施すフィルタ部４７、フィルタ部４７の出力を増幅する広帯域ローノイズアンプ４８、並びに、広帯域ローノイズアンプ４８の出力信号を、その出力信号の周波数帯域に対応する通信制御部４１の受信制御部に供給するダイプレクサ回路４９が含まれている。
【００９１】
通信制御部４１は、送信処理を制御する送信制御部５１と、受信処理を制御する受信制御部５２により構成される。送信制御部５１は、２．４ＧＨｚ帯を利用した無線通信による送信処理を制御する２．４ＧＨｚ帯通信用送信制御部６１と、５ＧＨｚ帯を利用した無線通信による送信処理を制御する５ＧＨｚ帯通信用送信制御部６２を内蔵し、２．４ＧＨｚ帯と５ＧＨｚ帯のデュアルバンドの送信処理を制御する処理部である。受信制御部５２は、２．４ＧＨｚ帯を利用した無線通信による受信処理を制御する２．４ＧＨｚ帯通信用受信制御部６３と、５ＧＨｚ帯を利用した無線通信による受信処理を制御する５ＧＨｚ帯通信用受信制御部６４を内蔵し、２．４ＧＨｚ帯と５ＧＨｚ帯のデュアルバンドの受信処理を制御する処理部である。
【００９２】
また、送信制御部５１は、後述するように、制御バス５１Ａを介してフィルタ部４４の動作を制御し、フィルタ部４４をローパスフィルタとして動作させたり、スルー回路として動作させたりする。同様に、受信制御部５２は、後述するように、制御バス５２Ａを介してフィルタ部４７の動作を制御し、フィルタ部４７をハイパスフィルタとして動作させたり、スルー回路として動作させたりする。
【００９３】
送信部３２は、送信処理に関する処理を行う処理部であり、通信制御部４１の送信制御部５１、ダイプレクサ回路４２、広帯域パワーアンプ４３、フィルタ部４４、スイッチ回路４５、およびアンテナ４６により構成される。
【００９４】
受信部３３は、受信処理に関する処理を行う処理部であり、アンテナ４６、スイッチ回路４５、フィルタ部４７、広帯域ローノイズアンプ４８、ダイプレクサ回路４９、および、通信制御部４１の受信制御部５２により構成される。
【００９５】
次に、フィルタ部４４について説明する。図３は、図２のフィルタ部４４の詳細な構成例を示す図である。
【００９６】
図３において、フィルタ部４４は、送信信号が入力される入力端子７１、入力端子７１を介して入力された送信信号に対して、必要に応じてローパスフィルタ処理を行うフィルタ処理部７２、フィルタ処理部７２より供給された送信信号をフィルタ部４４の外部に出力する出力端子７３、送信制御部５１より供給される制御信号を入力する入力端子７４、および、入力端子７４を介して入力される制御信号に基づいて、フィルタ処理部７２の動作を制御する制御部７５により構成される。
【００９７】
入力端子７１は、図２の広帯域パワーアンプ４３の出力端子に接続され、広帯域パワーアンプ４３の出力が供給される。入力端子７１を介してフィルタ部４４に入力された広帯域パワーアンプ４３の出力は、フィルタ処理部７２のインダクタ８１に供給される。
【００９８】
フィルタ処理部７２は、インダクタ８１、インダクタ８２、並びにコンデンサ８３よりなり、制御部７５の制御に基づいて、ローパスフィルタ回路またはスルー回路として動作する。具体的には、インダクタ８１の一方の端子が入力端子７１に接続されており、他方の端子がインダクタ８２およびコンデンサ８３に接続される。インダクタ８２の他方の端子は出力端子７３に接続される。また、コンデンサ８３の他方の端子は、制御部７５のダイオード９１およびインダクタ９３に接続される。
【００９９】
出力端子７３は、図２のスイッチ回路４５の１つの端子（フィルタ部４７が接続されている側の、フィルタ部４７が接続されている端子と異なる端子）に接続され、フィルタ処理部７２の出力をスイッチ回路４５に供給する。
【０１００】
入力端子７４は、図２の制御バス５１Ａに接続され、送信制御部５１より制御信号が供給される。供給された制御信号は、入力端子７４を介して制御部７５の抵抗９２に供給される。
【０１０１】
制御部７５は、ダイオード９１、抵抗９２、インダクタ９３、並びにコンデンサ９４よりなり、入力端子７４を介して供給される制御信号に基づいて、フィルタ処理部７２の動作を制御する。具体的には、ダイオード９１のアノードは、フィルタ処理部７２のコンデンサ８３、およびインダクタ９３の一方の端子に接続され、カソードは接地される。また、抵抗９２の一方の端子は入力端子７４に接続され、他方の端子は、インダクタ９３の他方の端子（ダイオード９１のアノードが接続されている端子と反対側の端子）、およびコンデンサ９４の一方の端子に接続される。コンデンサ９４の他方の端子は接地される。
【０１０２】
制御信号は、その値によりダイオード９１のアノード・カソード間を流れる電流を制御する。すなわち、制御信号の値が「１」である場合、抵抗９２およびインダクタ９３を介してダイオード９１のアノードに電圧が印加され、アノード・カソード間に電流が発生する。これにより、フィルタ処理部７２のコンデンサ８３の一方の端子（ダイオード９１が接続されている側の端子）が接地され、フィルタ処理部７２が、入力端子７１より入力される送信信号（広帯域パワーアンプ４３の出力）に対して、ローパスフィルタとして動作する。図４は、制御信号の値が「１」である場合のフィルタ処理部７２（フィルタ部４４）の入出力特性の例を示すグラフである。図４に示されるように、フィルタ処理部７２（フィルタ部４４）は、制御信号の値が「１」である場合、２．４ＧＨｚ付近の周波数帯域を通過させ、５ＧＨｚ付近の周波数帯域を遮断（または低減）する。
【０１０３】
また、制御信号の値が「０」である場合、ダイオード９１のアノードに電圧が印加されないので、アノード・カソード間の電流が発生しない。これにより、フィルタ処理部７２のコンデンサ８３の一方の端子（ダイオード９１が接続されている側の端子）がオープン状態となり、フィルタ部７２が、入力端子７１より入力される送信信号（広帯域パワーアンプ４３の出力）に対して何も処理しない、スルー回路として動作する。図５は、制御信号の値が「０」である場合のフィルタ処理部７２（フィルタ部４４）の入出力特性の例を示すグラフである。図５に示されるように、フィルタ処理部７２（フィルタ部４４）は、制御信号の値が「０」である場合、２．４ＧＨｚ付近の周波数帯域も、５ＧＨｚ付近の周波数帯域も通過させる。
【０１０４】
なお、制御部７５の抵抗９２は、制御信号の値が「１」である場合に、ダイオード９１に流れる電流の値を設定するためのものであり、インダクタ９３は、チョークコイルであり、ダイオード９１のアノード側からインダクタ９３の入力端子７４側を眺めた時にハイインピーダンスにする為のものである。このインダクタ９３によって、ローパスフィルタ７２よって落ちてきた高周波成分は、インダクタ９３側へは流れずに、全てダイオード９１側に流れる（GNDに落ちる）ようになる。また、コンデンサ９４は、バイパスコンデンサであり、制御信号に含まれるノイズ成分の除去を行うだけでなく、さらに、仮にローパスフィルタ７２からの高周波成分がインダクタ９３を通って漏れてきたとした場合であっても、その高周波成分を除去することができる。従って、これらの素子の一部又は全部を省略することも可能である。また、抵抗９２およびコンデンサ９４は、その位置の順番（接続の順番）が逆であってもよい（すなわち、抵抗９２の一方の端子にインダクタ９３、他方の端子にコンデンサ９４が接続されるようにしてもよい）。
【０１０５】
以上において説明したフィルタ処理部７２および制御部７５は、上述した以外の構成により実現するようにしてももちろんよい。例えば、フィルタ処理部７２は、Ｔ型の回路により構成されるように説明したが、Ｎ段の梯子型回路により構成されるようにしてもよいし、Π型の回路により構成されるようにしてもよい。オペアンプ等の能動素子を用いたアクティブフィルタにより構成されるようにしてももちろんよい。また、制御部７５は、トランジスタ等のスイッチ素子を用いるようにしてもよい。
【０１０６】
次に、図２のフィルタ部４７について説明する。図６は、図２のフィルタ部４７の詳細な構成例を示す図である。
【０１０７】
図６において、フィルタ部４７は、受信信号が入力される入力端子１０１、入力端子１０１を介して入力された受信信号に対して、必要に応じてハイパスフィルタ処理を行うフィルタ処理部１０２、フィルタ処理部１０２より供給された受信信号をフィルタ部４７の外部に出力する出力端子１０３、受信制御部５２より供給される制御信号を入力する入力端子１０４、および、入力端子１０４を介して入力される制御信号に基づいて、フィルタ処理部１０２の動作を制御する制御部１０５により構成される。
【０１０８】
入力端子１０１は、図２のスイッチ回路４５の１つの端子（フィルタ部４４が接続されている側の、フィルタ部４４が接続されている端子と異なる端子）に接続され、アンテナ４６において受信された受信信号が供給される。入力端子１０１を介してフィルタ部４７に入力された受信信号は、フィルタ処理部１０２のコンデンサ１１１に供給される。
【０１０９】
フィルタ処理部１０２は、コンデンサ１１１、インダクタ１１２、並びにインダクタ１１３よりなり、制御部１０５の制御に基づいて、ハイパスフィルタ回路またはスルー回路として動作する。具体的には、コンデンサ１１１の一方の端子が入力端子１０１およびインダクタ１１２に接続されており、他方の端子がインダクタ１１３および出力端子１０３に接続される。インダクタ１１２の他方の端子（コンデンサ１１１が接続されていない方の端子）は、インダクタ１１３のコンデンサ１１１が接続されていない方の端子、制御部１０５のダイオード１２１のアノード、およびインダクタ１２３に接続される。同様に、インダクタ１１３の他方の端子（コンデンサ１１１が接続されていない方の端子）は、インダクタ１１２のコンデンサ１１１が接続されていない方の端子、制御部１０５のダイオード１２１のアノード、およびインダクタ１２３に接続される。
【０１１０】
出力端子１０３は、図２の広帯域ローノイズアンプ４８の入力端子に接続され、フィルタ処理部１０２の出力を広帯域ローノイズアンプ４８に供給する。
【０１１１】
入力端子１０４は、図２の制御バス５２Ａに接続され、受信制御部５２より制御信号が供給される。供給された制御信号は、入力端子１０４を介して制御部１０５の抵抗１２２に供給される。
【０１１２】
制御部１０５は、ダイオード１２１、抵抗１２２、インダクタ１２３、並びにコンデンサ１２４よりなり、入力端子１０４を介して供給される制御信号に基づいて、フィルタ処理部１０２の動作を制御する。具体的には、ダイオード１２１のアノードは、フィルタ処理部１０２のインダクタ１１２およびインダクタ１１３、並びに、インダクタ１２３の一方の端子に接続され、カソードは接地される。また、抵抗１２２の一方の端子は入力端子１０４に接続され、他方の端子は、インダクタ１２３の他方の端子（ダイオード１２１のアノードが接続されている端子と反対側の端子）、およびコンデンサ１２４の一方の端子に接続される。コンデンサ１２４の他方の端子は接地される。
【０１１３】
制御信号は、その値によりダイオード１２１のアノード・カソード間を流れる電流を制御する。すなわち、制御信号の値が「１」である場合、抵抗１２２およびインダクタ１２３を介してダイオード１２１のアノードに電圧が印加され、アノード・カソード間に電流が発生する。これにより、フィルタ処理部１０２のインダクタ１１２およびインダクタ１１３の一方の端子（ダイオード１２１が接続されている側の端子）が接地され、フィルタ処理部１０２が、入力端子１０１より入力される受信信号（スイッチ回路４５の出力）に対して、ハイパスフィルタとして動作する。図７は、制御信号の値が「１」である場合のフィルタ処理部１０２（フィルタ部４７）の入出力特性の例を示すグラフである。図７に示されるように、フィルタ処理部１０２（フィルタ部４７）は、制御信号の値が「１」である場合、２．４ＧＨｚ付近の周波数帯域を遮断（または低減）し、５ＧＨｚ帯の周波数帯域を通過させる。
【０１１４】
また、制御信号の値が「０」である場合、ダイオード１２１のアノードに電圧が印加されないので、アノード・カソード間の電流が発生しない。これにより、フィルタ処理部１０２のインダクタ１１２およびインダクタ１１３の一方の端子（ダイオード１２１が接続されている側の端子）がオープン状態となり、フィルタ部１０２が、入力端子１０１より入力される受信信号（スイッチ回路４５の出力）に対して何も処理しない、スルー回路として動作する。図８は、制御信号の値が「０」である場合のフィルタ処理部１０２（フィルタ部４７）の入出力特性の例を示すグラフである。図８に示されるように、フィルタ処理部１０２（フィルタ部４７）は、制御信号の値が「０」である場合、２．４ＧＨｚ付近の周波数帯域も、５ＧＨｚ付近の周波数帯域も通過させる。
【０１１５】
なお、制御部１０５の抵抗１２２は、制御信号の値が「１」である場合に、ダイオード１２１に流れる電流の値を設定するためのものであり、インダクタ１２３は、チョークコイルであり、ダイオード１２１のアノード側からインダクタ１２３の入力端子１０４側を眺めた時にハイインピーダンスにする為のものである。このインダクタ１２３によって、ハイパスフィルタ１０２よって落ちてきた高周波成分は、インダクタ１２３側へは流れずに、全てダイオード１２１側に流れる（GNDに落ちる）ようになる。また、コンデンサ１２４は、バイパスコンデンサであり、制御信号に含まれるノイズ成分の除去を行うだけでなく、さらに、仮にハイパスフィルタ１０２からの高周波成分がインダクタ１２３を通って漏れてきたとした場合であっても、その高周波成分を除去することができる。従って、これらの素子の一部又は全部を省略することも可能である。また、抵抗１２２およびコンデンサ１２４は、その位置の順番（接続の順番）が逆であってもよい（すなわち、抵抗１２２の一方の端子にインダクタ１２３、他方の端子にコンデンサ１２４が接続されるようにしてもよい）。
【０１１６】
以上において説明したフィルタ処理部１０２および制御部７５は、上述した以外の構成により実現するようにしてももちろんよい。例えば、フィルタ処理部１０２は、Π型の回路により構成されるように説明したが、Ｎ段の梯子型回路により構成されるようにしてもよいし、Ｔ型の回路により構成されるようにしてもよい。オペアンプ等の能動素子を用いたアクティブフィルタにより構成されるようにしてももちろんよい。また、制御部１０５は、トランジスタ等のスイッチ素子を用いるようにしてもよい。
【０１１７】
また、図４、図５、図７、および図８を参照して説明したフィルタ回路４４またはフィルタ回路４７の入出力特性は、一例であり、上述した以外であってももちろんよい。また、フィルタ回路４４またはフィルタ回路４７をスルー回路として動作させる場合、全ての帯域において利得が０［dB］となるのが望ましいが、実際には、図５および図８に示されるように、一部の帯域において遮断（または低減）される場合もある。なお、このことを積極的に利用して、不要な周波数帯域を削除するようにしてももちろんよい。
【０１１８】
図２に戻り、無線通信装置３１の動作について説明する。
【０１１９】
無線通信部３１の外部より送信データが通信制御部４１の送信制御部５１に供給されると、送信制御部５１は、予め指定された周波数帯の無線通信により送信するために、取得した送信データを、２．４ＧＨｚ帯通信用送信制御部６１または５ＧＨｚ帯通信用送信制御部６２に供給する。
【０１２０】
例えば、２．４ＧＨｚ帯を利用するIEEE802.11bの規格に基づいた通信方式で通信を行う場合、送信制御部５１は、取得した送信データを２．４ＧＨｚ帯通信用送信制御部６１に供給する。２．４ＧＨｚ帯通信用送信制御部６１は、IEEE802.11bの規格に基づいて、送信データを処理し、送信信号を生成すると、それをダイプレクサ回路４２に供給する。ダイプレクサ回路４２は、２．４ＧＨｚ帯通信用送信制御部６１の出力を広帯域パワーアンプ４３に接続し、２．４ＧＨｚ帯通信用送信制御部６１の出力（送信信号）を広帯域パワーアンプ４３に供給する。広帯域パワーアンプ４３は、供給された送信信号を増幅し、増幅した送信信号をフィルタ部４４に供給する。
【０１２１】
この場合、送信制御部５１は、さらに、制御バス５１Ａを介して、フィルタ部４４に値が「１」の制御信号を供給する。フィルタ部４４は、この制御信号に基づいて、上述したように動作し、広帯域パワーアンプ４３より供給された送信信号（増幅された送信信号）に対してローパスフィルタ処理を行う。すなわち、フィルタ部４４は、供給された送信信号から、５ＧＨｚ帯の無線通信の信号と干渉しないように、不要な高周波成分（例えば送信信号の２倍成分等）を遮断（または低減）することにより除去し、本来の２．４ＧＨｚ帯の信号を抽出して、それをスイッチ回路４５に供給する。スイッチ回路４５は、フィルタ部４４をアンテナ４６に接続し、フィルタ部４４より供給された送信信号を、アンテナ４６を介して外部に出力する。
【０１２２】
また、例えば、５ＧＨｚ帯を利用するIEEE802.11aの規格に基づいた通信方式で通信を行う場合、送信制御部５１は、取得した送信データを５ＧＨｚ帯通信用送信制御部６２に供給する。５ＧＨｚ帯通信用送信制御部６２は、IEEE802.11aの規格に基づいて、送信データを処理し、送信信号を生成すると、それをダイプレクサ回路４２に供給する。ダイプレクサ回路４２は、５ＧＨｚ帯通信用送信制御部６２の出力を広帯域パワーアンプ４３に接続し、５ＧＨｚ帯通信用送信制御部６２の出力（送信信号）を広帯域パワーアンプ４３に供給する。広帯域パワーアンプ４３は、供給された送信信号を増幅し、増幅した送信信号をフィルタ部４４に供給する。
【０１２３】
この場合、送信制御部５１は、さらに、制御バス５１Ａを介して、フィルタ部４４に値が「０」の制御信号を供給する。フィルタ部４４は、この制御信号に基づいて、上述したように動作し、広帯域パワーアンプ４３より供給された送信信号（増幅された送信信号）に対してスルー回路としての処理を行う。すなわち、フィルタ部４４は、供給された送信信号の全ての周波数帯域（少なくとも５ＧＨｚ帯を含む周波数帯域）を通過させ、そのままスイッチ回路４５に供給する。スイッチ回路４５は、フィルタ部４４をアンテナ４６に接続し、フィルタ部４４より供給された送信信号を、アンテナ４６を介して外部に出力する。
【０１２４】
すなわち、フィルタ部４４は、IEEE802.11bの規格に基づいた通信方式で通信を行う場合、送信信号に対してローパスフィルタ処理を行って、通信に利用される２．４ＧＨｚ帯の信号を通過させ、IEEE802.11aの規格に基づいた通信の信号と干渉する５ＧＨｚ帯の信号（高調波成分）を遮断（または低減）させ、IEEE802.11aの規格に基づいた通信方式で通信を行う場合、送信信号に対してローパスフィルタ処理を行わずにそのままスルーさせ、通信に利用される５ＧＨｚ帯の信号を通過させる。
【０１２５】
このようにすることにより、無線通信部３１の送信部３２は、IEEE802.11bの規格に基づいた通信方式で通信を行う場合（２．４ＧＨｚ帯の信号を出力する場合）に、IEEE802.11aの規格に基づいた通信の信号である５ＧＨｚ帯の信号の妨害波となり得る２．４ＧＨｚ帯の高調波成分を十分に低いレベルまで減衰させることができ、５ＧＨｚ帯の通信に対する妨害波の出力を抑制することができる。すなわち、送信部３２は、送信性能を低下させずに、製造コストや回路規模を低減させることができる。
【０１２６】
逆に、受信処理の場合、無線通信部３１の外部より信号が送信され、アンテナ４６がそれを受信すると、アンテナ４６は、その受信信号をスイッチ回路４５に供給する。なお、以下において、アンテナ４６により受信された受信信号には、２．４ＧＨｚ帯の信号および５ＧＨｚ帯の信号の両方が含まれるものとする。また、５ＧＨｚ帯の低周波成分は十分に小さく、２．４ＧＨｚ帯の信号に影響を与えないものとする。
【０１２７】
例えば、２．４ＧＨｚ帯を利用するIEEE802.11bの規格に基づいた通信方式で通信を行っている場合（受信信号がIEEE802.11bの規格に基づく通信の信号である場合）、スイッチ回路４５は、アンテナ４６とフィルタ部４７を接続し、取得した受信信号をフィルタ部４７に供給する。
【０１２８】
この場合、受信制御部５２は、制御バス５２Ａを介して、フィルタ部４７に値が「０」の制御信号を供給する。フィルタ部４７は、この制御信号に基づいて、上述したように動作し、スイッチ回路４５より供給された受信信号に対してスルー回路としての処理を行う。すなわち、フィルタ部４７は、供給された送信信号の全ての周波数帯域（少なくとも２．４ＧＨｚ帯を含む周波数帯域）を通過させ、そのまま広帯域ローノイズアンプ４８に供給する。
【０１２９】
広帯域ローノイズアンプ４８は、供給された受信信号を増幅し、それをダイプレクサ回路４９に供給する。ダイプレクサ回路４９は、広帯域ローノイズアンプ４８の出力を２．４ＧＨｚ帯通信用受信制御部６３に接続し、広帯域ローノイズアンプ４８の出力（増幅された受信信号）を２．４ＧＨｚ帯通信用受信制御部６３に供給する。受信信号を取得した受信制御部５２の２．４ＧＨｚ帯通信用受信制御部６３は、IEEE802.11bの規格に基づいて、受信信号より２．４ＧＨｚ帯の信号を抽出し、抽出したその２．４ＧＨｚ帯の信号に基づいて受信データを生成すると、その受信データを無線通信部３１の外部に出力する。
【０１３０】
この場合、受信信号には、上述したように２．４ＧＨｚ帯の信号と、５ＧＨｚ帯の信号との両方が含まれるが、５ＧＨｚ帯の低周波成分は十分に小さく、２．４ＧＨｚ帯の信号の妨害波とならないので、２．４ＧＨｚ帯通信用受信制御部６３は、受信信号より２．４ＧＨｚ帯の信号を正常に抽出し、抽出したその２．４ＧＨｚ帯の信号に基づいて受信データを生成することができる。
【０１３１】
また、例えば、５ＧＨｚ帯を利用するIEEE802.11aの規格に基づいた通信方式で通信を行っている場合（受信信号がIEEE802.11aの規格に基づく通信の信号である場合）、スイッチ回路４５は、アンテナ４６とフィルタ部４７を接続し、取得した受信信号をフィルタ部４７に供給する。
【０１３２】
この場合、受信制御部５２は、制御バス５２Ａを介して、フィルタ部４７に値が「１」の制御信号を供給する。フィルタ部４７は、この制御信号に基づいて、上述したように動作し、スイッチ回路４５より供給された受信信号に対してハイパスフィルタ処理を行う。すなわち、フィルタ部４７は、後段の広帯域ローノイズアンプ４８において受信信号が増幅される際に受信信号に含まれる２．４ＧＨｚ帯の高調波成分が増幅されないように、受信信号から不要な低周波成分（例えば２．４ＧＨｚ帯）を遮断（または低減）することにより除去し、本来の５ＧＨｚ帯の信号を抽出して、広帯域ローノイズアンプ４８に供給する。
【０１３３】
広帯域ローノイズアンプ４８は、供給された受信信号を増幅し、それをダイプレクサ回路４９に供給する。ダイプレクサ回路４９は、広帯域ローノイズアンプ４８の出力を５ＧＨｚ帯通信用受信制御部６４に接続し、広帯域ローノイズアンプ４８の出力（増幅された受信信号）を５ＧＨｚ帯通信用受信制御部６４に供給する。受信信号を取得した受信制御部５２の５ＧＨｚ帯通信用受信制御部６４は、IEEE802.11aの規格に基づいて、その受信信号から５ＧＨｚ帯の信号を抽出し、抽出したその信号に基づいて受信データを生成すると、その受信データを無線通信部３１の外部に出力する。
【０１３４】
すなわち、フィルタ部４７は、IEEE802.11aの規格に基づいた通信方式で通信を行う場合、受信信号に対してハイパスフィルタ処理を行って、通信に利用される５ＧＨｚ帯の信号を通過させ、高調波成分が５ＧＨｚ帯の信号と干渉する恐れのある、IEEE802.11bの規格に基づいた通信の２．４ＧＨｚ帯の信号を遮断（または低減）させ、IEEE802.11bの規格に基づいた通信方式で通信を行う場合、受信信号に対してハイパスフィルタ処理を行わずにそのままスルーさせ、通信に利用される２．４ＧＨｚ帯の信号を通過させる。
【０１３５】
このようにすることにより、無線通信部３１の受信部３３は、IEEE802.11aの規格に基づいた通信方式で通信を行う場合（５ＧＨｚ帯の信号を受信する場合）に、その高調波成分が５ＧＨｚ帯の信号と干渉する恐れのあるIEEE802.11bの規格に基づいた通信の信号である２．４ＧＨｚ帯の周波数成分を十分に低いレベルまで減衰させることができ、５ＧＨｚ帯の通信への妨害波の発生（影響）を抑制することができる。すなわち、受信部３３は、製造コストや回路規模を低減させることができる。
【０１３６】
以上のように、無線通信部３１は、上述したような送信部３２および受信部３３により構成されることにより、IEEE802.11bの規格に基づいた通信の信号による、IEEE802.11aの規格に基づいた通信方式で通信の信号に対する干渉（妨害）を抑制させることができる。すなわち、無線通信部３１は、互いに異なる周波数帯を利用する複数の無線通信を行う場合に、他の周波数帯との干渉（妨害）を低減させながら、それらの複数の無線通信において送信回路および受信回路を共用させることができる。すなわち、無線通信部３１は、製造コストや回路規模を低減させることができる。
【０１３７】
次に、図９および図１０のフローチャートを参照して、図２の無線通信部３１による送受信処理の流れについて説明する。
【０１３８】
最初に、無線通信部３１の通信制御部４１は、ステップＳ１において、フィルタ設定処理を行い、無線通信の方式に合わせて、フィルタ部４４およびフィルタ部４７の設定処理を行う。設定処理の詳細については、図１１のフローチャートを参照して後述する。
【０１３９】
フィルタ設定処理を行った通信制御部４１は、ステップＳ２に処理を進め、データを送信するか否かを判定する。無線通信部３１の外部より送信データが供給されており、かつ、送信処理を行う状態である等して、データを送信すると判定した場合、送信制御部５１（送信制御部５１の２．４ＧＨｚ帯通信用送信制御部６１または５ＧＨｚ帯通信用送信制御部６２）は、送信データより送信信号を作成し、それをダイプレクサ回路４２に供給する。ダイプレクサ回路４２は、ステップＳ３において、無線通信の方式に基づいて広帯域パワーアンプ４３に供給する送信信号を選択し、供給された送信信号を広帯域パワーアンプ４３に供給する。
【０１４０】
送信信号を供給された広帯域パワーアンプ４３は、ステップＳ４において、その送信信号を増幅し、フィルタ部４４に供給する。送信信号を供給されたフィルタ部４４は、ステップＳ５において、送信信号が低周波側の信号（２．４ＧＨｚ帯の信号）であるか否かを判定し、制御バス５１Ａを介して供給される制御信号に基づいて、送信信号が低周波側の信号（２．４ＧＨｚ帯の信号）であると判定した場合、ステップＳ６において、送信信号の高調波成分の周波数帯域（４．８ＧＨｚ付近）である高周波帯域を遮断（または低減）し、周波数制限した送信信号をスイッチ回路４５に供給する。
【０１４１】
また、ステップＳ５において、制御バス５１Ａを介して供給される制御信号に基づいて、送信信号が高周波側の信号（５ＧＨｚ帯の信号）であると判定した場合、フィルタ部４４は、ステップＳ６の処理を省略し、送信信号をそのままスイッチ回路４５に供給する。
【０１４２】
ステップＳ７において、スイッチ回路４５は、送信パスを設定し、フィルタ部４４とアンテナ４６を接続し、フィルタ部４４より供給される送信信号をアンテナ４６に供給する。アンテナ４６は、ステップＳ８において、スイッチ回路４５より供給される送信信号を空間に放射し、出力する。ステップＳ８の処理を終了した無線通信部３１は、処理を図１０のステップＳ１１に供給する。
【０１４３】
また、図９のステップＳ２において、送信データが供給されていなかったり、送信処理の状態でなかったりして、データを送信しないと判定した場合、通信制御部４１は、ステップＳ３乃至ステップＳ８の処理を省略し、図１０のステップＳ１１に処理を進める。
【０１４４】
通信制御部４１は、図１０のステップＳ１１において、データを受信するか否かを判定する。受信処理を行う状態である等して、データを受信すると判定した場合、通信制御部４１は、ステップＳ１２に処理を進める。ステップＳ１２において、アンテナ４６は空間を伝搬して供給される無線信号を受信し、その受信信号をスイッチ回路４５に供給する。スイッチ回路４５は、ステップＳ１３において、受信パスを設定し、アンテナ４６を介して受信された受信信号をフィルタ部４７に供給する。
【０１４５】
受信信号を供給されたフィルタ部４７は、ステップＳ１４において、受信信号が高周波側の信号（５ＧＨｚ帯の信号）であるか否かを判定し、制御バス５２Ａを介して供給される制御信号に基づいて、受信信号が高周波側の信号（５ＧＨｚ帯の信号）であると判定した場合、ステップＳ１５において、送信信号の、低周波側の信号の周波数帯域（２．４ＧＨｚ付近）である低周波帯域を遮断（または低減）し、周波数制限した受信信号を広帯域ローノイズアンプ４８に供給する。
【０１４６】
また、ステップＳ１４において、制御バス５２Ａを介して供給される制御信号に基づいて、受信信号が低周波側の信号（２．４ＧＨｚ帯の信号）であると判定した場合、フィルタ部４７は、ステップＳ１５の処理を省略し、受信信号をそのまま広帯域ローノイズアンプ４８に供給する。
【０１４７】
受信信号を取得した広帯域ローノイズアンプ４８は、ステップＳ１６において、その受信信号を増幅し、ダイプレクサ回路４９に供給する。ダイプレクサ回路４９は、ステップＳ１７において、取得した受信信号を分配する。すなわち、ダイプレクサ回路４９は、無線通信の方式に基づいて、２．４ＧＨｚ帯通信用受信制御部６３または５ＧＨｚ帯通信用受信制御部６４の内、周波数帯域が受信信号に対応する側の受信制御部に、取得した受信信号を供給する。受信信号を供給された受信制御部５２（受信制御部５２の２．４ＧＨｚ帯通信用受信制御部６３または５ＧＨｚ帯通信用受信制御部６４）は、その受信信号より目的の周波数帯域（２．４ＧＨｚ帯または５ＧＨｚ帯）の信号を抽出し、その抽出した信号を用いて受信データを作成し、それを無線通信部３１の外部に出力する。
【０１４８】
ステップＳ１７の処理を終了した受信制御部５２は、ステップＳ１８に処理を進める。また、ステップＳ１１において、データを受信しないと判定した場合、通信制御部４１は、ステップＳ１２乃至ステップＳ１７の処理を省略し、ステップＳ１８に処理を進める。
【０１４９】
ステップＳ１８において、通信制御部４１は、送受信処理を終了するか否かを判定し、通信が終了しておらず、送受信処理を終了しないと判定した場合、図９のステップＳ２に処理を戻し、それ以降の処理を繰り返す。また、ステップＳ１８において、通信が終了し、送受信処理を終了すると判定した場合、通信制御部４１は、ステップＳ１９に処理を進め、終了処理を行った後、送受信処理を終了する。
【０１５０】
以上のように処理することにより、無線通信部３１の送信部３２が、IEEE802.11bの規格に基づいた通信方式で通信を行う場合（２．４ＧＨｚ帯の信号を送信する場合）に、５ＧＨｚ帯の通信への妨害波の出力（影響）を抑制することができるとともに、無線通信部３１の受信部３３が、IEEE802.11aの規格に基づいた通信方式で通信を行う場合（５ＧＨｚ帯の信号を受信する場合）に、２．４ＧＨｚ帯の信号成分による５ＧＨｚ帯の通信への妨害波の発生（影響）を抑制することができる。これにより、無線通信部３１は、IEEE802.11bの規格に基づいた通信の信号による、IEEE802.11aの規格に基づいた通信方式で通信の信号に対する干渉（妨害）を抑制させることができる。すなわち、無線通信部３１は、互いに異なる周波数帯を利用する複数の無線通信を行う場合に、他の周波数帯との干渉（妨害）を低減させながら、それらの複数の無線通信において送信回路および受信回路を共用させることができる。すなわち、無線通信部３１は、製造コストや回路規模を低減させることができる。
【０１５１】
次に、図９のステップＳ１において実行されるフィルタ設定処理の詳細について、図１１のフローチャートを参照して説明する。
【０１５２】
最初に、ステップＳ３１において、通信制御部４１は、通信方式の設定に基づいて、低周波側の信号を送受信するか否かを判定する。すなわち、通信制御部４１は、２．４ＧＨｚ帯を利用するIEEE802.11bに基づいた無線通信を行うか否かを判定する。２．４ＧＨｚ帯通信用送信制御部６１および２．４ＧＨｚ帯通信用受信制御部６３を利用し、無線通信部３１が対応するデュアルバンドの内、低周波側の信号を送受信すると判定した場合、通信制御部４１は、ステップＳ３２に処理を進める。
【０１５３】
ステップＳ３２において、通信制御部４１は、送信側のフィルタ回路４４がローパスフィルタとして動作するように制御する。すなわち、通信制御部４１の送信制御部５１は、ステップＳ３２において、制御バス５１Ａを介して、値が「１」の制御信号をフィルタ部４４に供給し、フィルタ部４４をローパスフィルタとして動作させる。
【０１５４】
ステップＳ３２の処理が終了すると、通信制御部４１は、ステップＳ３３において、受信側のフィルタ回路４７がスルー回路として動作するように制御する。すなわち、通信制御部４１の受信制御部５２は、ステップＳ３３において、制御バス５２Ａを介して、値が「０」の制御信号をフィルタ部４７に供給し、フィルタ部４７をスルー回路（伝送線路）として動作させる。
【０１５５】
ステップＳ３３の処理を終了した通信制御部４１は、ステップＳ３４に処理を進める。また、ステップＳ３１において、低周波側の信号を送受信しないと判定した場合、通信制御部４１は、ステップＳ３２およびステップＳ３３の処理を省略し、ステップＳ３４に処理を進める。
【０１５６】
ステップＳ３４において、通信制御部４１は、通信方式の設定に基づいて、高周波側の信号を送受信するか否かを判定する。すなわち、通信制御部４１は、５ＧＨｚ帯を利用するIEEE802.11aに基づいた無線通信を行うか否かを判定する。５ＧＨｚ帯通信用送信制御部６２および５ＧＨｚ帯通信用受信制御部６４を利用し、無線通信部３１が対応するデュアルバンドの内、高周波側の信号を送受信すると判定した場合、通信制御部４１は、ステップＳ３５に処理を進める。
【０１５７】
ステップＳ３５において、通信制御部４１は、送信側のフィルタ回路４４がスルー回路として動作するように制御する。すなわち、通信制御部４１の送信制御部５１は、ステップＳ３５において、制御バス５１Ａを介して、値が「０」の制御信号をフィルタ部４４に供給し、フィルタ部４４をスルー回路（伝送線路）として動作させる。
【０１５８】
ステップＳ３５の処理が終了すると、通信制御部４１は、ステップＳ３６において、受信側のフィルタ回路４７がハイパスフィルタとして動作するように制御する。すなわち、通信制御部４１の受信制御部５２は、ステップＳ３６において、制御バス５２Ａを介して、値が「１」の制御信号をフィルタ部４７に供給し、フィルタ部４７をハイパスフィルタとして動作させる。
【０１５９】
ステップＳ３６の処理を終了した通信制御部４１は、ステップＳ３７に処理を進める。また、ステップＳ３４において、低周波側の信号を送受信しないと判定した場合、通信制御部４１は、ステップＳ３５およびステップＳ３６の処理を省略し、ステップＳ３７に処理を進める。
【０１６０】
ステップＳ３７において、通信制御部４１は、フィルタ部４４およびフィルタ部４７の設定が完了したか否かを判定し、完了していないと判定した場合、処理をステップＳ３１に戻し、それ以降の処理を繰り返す。また、ステップＳ３７において、フィルタ部４４およびフィルタ部４７の設定が完了したと判定した場合、通信制御部４１は、フィルタ設定処理を終了し、図９のステップＳ２に処理を戻す。
【０１６１】
以上のようにフィルタ設定処理を実行することにより、通信制御部４１は、無線通信部３１の送信部３２が、IEEE802.11bの規格に基づいた通信方式で通信を行う場合（２．４ＧＨｚ帯の信号を送信する場合）に、５ＧＨｚ帯の通信への妨害波の出力（影響）を抑制することができるとともに、無線通信部３１の受信部３３が、IEEE802.11aの規格に基づいた通信方式で通信を行う場合（５ＧＨｚ帯の信号を受信する場合）に、２．４ＧＨｚ帯の信号成分による５ＧＨｚ帯の通信への妨害波の発生（影響）を抑制することができる。すなわち、通信制御部４１は、無線通信部３１が、IEEE802.11bの規格に基づいた通信の信号による、IEEE802.11aの規格に基づいた通信方式で通信の信号に対する干渉（妨害）を抑制させることができるように制御することができる。これにより、無線通信部３１は、互いに異なる周波数帯を利用する複数の無線通信を行う場合に、他の周波数帯との干渉（妨害）を低減させながら、それらの複数の無線通信において送信回路および受信回路を共用させることができる。すなわち、無線通信部３１は、製造コストや回路規模を低減させることができる。
【０１６２】
以上に説明した無線通信部３１は、無線通信モジュールとして無線通信部３１のみで実現するようにしてもよいが、例えば、アクセスポイント、LANカード、パーソナルコンピュータ、またはPDA等に組み込まれるようにし、通信装置の一部として実現するようにしてももちろんよい。
【０１６３】
図１２は、本発明を適用した通信装置の構成例を示す図である。
【０１６４】
図１２において、通信装置１５０は、例えば、アクセスポイント、LANカード、パーソナルコンピュータ、またはPDA等のような通信機能を有するデバイスである。通信装置１５０のCPU１５１は、ROM１５２に記憶されているプログラムに従って各種の処理を実行する。RAM１５３には、CPU１５１が各種の処理を実行する上において必要なデータやプログラムなどが適宜記憶される。
【０１６５】
CPU１５１、ROM１５２、およびRAM１５３は、バス１５４を介して相互に接続されている。このバス１５４にはまた、入出力インタフェース１６０も接続されている。
【０１６６】
入出力インタフェース１６０は、例えば、各種のボタン、リモートコントローラ、キーボード、またはマウス等により構成される入力部１６１が接続され、入力部１６１に入力された信号をCPU１５１に出力する。また、入出力インタフェース１６０には、GUI（Graphical User Interface）等を表示するディスプレイ、状態表示用のLED（Light Emitting Diode）、またはスピーカなどから構成される出力部１６２も接続されている。
【０１６７】
さらに、入出力インタフェース１６０には、CPU１５１において実行されるプログラムやデータ等を記憶するハードディスク、EEPROM（Electronically Erasable and Programmable Read Only Memory）、またはフラッシュメモリなどよりなる記憶部１６３、および、有線によりネットワークに接続され、そのネットワークを介して他の装置とデータの通信を行う有線通信部１６４も接続されている。
【０１６８】
また、入出力インタフェース１６０にはドライブ１６５が適宜接続される。ドライブ１６５は、CPU１５１に制御される等して、ドライブ１６５に装着された、磁気ディスク、光ディスク、光磁気ディスク、または半導体メモリなどの記録媒体からなるリムーバブルメディア１６６よりプログラムや、そのプログラムの実行に必要なデータを読み出したり、CPU１５１等より供給されたデータやプログラムを、そのリムーバブルメディア１６６に書き込んだりする。
【０１６９】
さらに、入出力インタフェース１６０には、上述した無線通信部３１が接続されている。無線通信部３１は、上述したように、無線通信によるネットワークへの接続を実現する。
【０１７０】
CPU１５１は、入力部１６１より入力されたユーザの指示や、実行しているプログラムに基づいて、IEEE802.11aやIEEE802.11b等の、使用する無線通信方式を選択し、無線通信部３１を制御して、その選択した無線通信方式による無線通信を実行させる。無線通信部３１は、そのCPU１５１の制御に基づいて、上述したように送受信処理を行う。
【０１７１】
このようにすることにより、通信装置１５０は、IEEE802.11bの規格に基づいた通信の信号による、IEEE802.11aの規格に基づいた通信方式で通信の信号に対する干渉（妨害）を抑制させた状態で無線通信を行うことができる。このとき、無線通信部３１は、上述したように無線通信処理を行うことにより、互いに異なる周波数帯を利用する複数の無線通信を行う場合に、他の周波数帯との干渉（妨害）を低減させながら、それらの複数の無線通信において送信回路および受信回路を共用させることができる。すなわち、無線通信部３１および通信装置１５０は、製造コストや回路規模を低減させることができる。
【０１７２】
以上において、無線通信部３１は、２．４ＧＨｚ帯の信号を送信する場合、フィルタ部４４を用いて広帯域パワーアンプ４３の出力から、２．４ＧＨｚ帯の信号の高調波成分を除去するように説明したが、これ以外にも、２．４ＧＨｚ帯の信号の高調波成分を除去できればどのような構成であってもよく、例えば、図２の、ローパスフィルタとして動作するフィルタ部４４の代わりに、２．４ＧＨｚ帯の信号の２倍成分の周波数である４．８ＧＨｚ付近の周波数成分のみを除去するバンドリジェクトフィルタを用いるようにしてもよい。
【０１７３】
図１３は、バンドリジェクトフィルタの構成例を示す図である。図１３において、バンドリジェクトフィルタ１７０の入力端子７１と出力端子７３は、図３を参照して説明したフィルタ部４４の場合と同様に、それぞれ、広帯域パワーアンプ４３の出力端子、または、スイッチ回路４５のフィルタ部４７が接続されている端子側の、フィルタ部４７が接続されている端子とは異なる端子と接続されている。なお、この図１３の場合、図３のフィルタ部４４の場合と異なり、送信制御部５１より制御信号が供給される制御バス５１Ａに接続される入力端子は存在しない。すなわち、このバンドリジェクトフィルタ１７０は、２．４ＧＨｚ帯通信用送信制御部６１より出力された２．４ＧＨｚ帯の送信信号の場合であっても、５ＧＨｚ帯通信用送信制御部６２より出力された５ＧＨｚ帯の送信信号の場合であっても、バンドリジェクトフィルタとして動作する。従って、この場合、５ＧＨｚ帯通信用送信制御部６２は、例えば、５ＧＨｚ以上等、バンドリジェクトフィルタ１７０が除去する周波数帯域と異なる周波数帯域を利用して信号を送信する。
【０１７４】
図１３において、入力端子７１と出力端子１７３の間には、並列に接続されたインダクタ１７１とコンデンサ１８１、並列に接続されたインダクタ１７２とコンデンサ１８２、並びに、並列に接続されたインダクタ１７３とコンデンサ１８３が、直列に接続されている。また、コンデンサ１８１とコンデンサ１８２との間（インダクタ１８１とインダクタ１８２との間）にはインダクタ１９１の一方の端子が、コンデンサ１８２とコンデンサ１８３との間（インダクタ１８２とインダクタ１８３との間）にはインダクタ１９３の一方の端子が、それぞれ接続されている。さらに、インダクタ１９１の他方の端子は、コンデンサ１９２を介して接地されており、インダクタ１９３の他方の端子は、コンデンサ１９４を介して接地されている。
【０１７５】
以上のような構成のバンドリジェクトフィルタ１７０は、図１４に示されるような入出力特性を有しており、入力された送信信号より、４．８ＧＨｚ付近の周波数の信号を遮断（または低減）して除去する。なお、図１４に示される入出力特性は、一例であり、上述した以外であってももちろんよい。例えば、バンドリジェクトフィルタ１７０が複数の周波数帯域成分を除去するようにしてもよい。この入出力特性において、バンドリジェクトフィルタ１７０は、除去の対象となる周波数帯域（図１４の場合４．８ＧＨｚ付近の周波数帯域）のみの利得が急峻に下がるのが望ましいが、実際には、図１４に示されるように、一部のその他の帯域の成分も遮断（または低減）される場合もあるが、送信信号に影響を与えない程度の特性であればよい。
【０１７６】
以上のように、バンドリジェクトフィルタ１７０を用いることにより、送信制御部５１がフィルタ部４４を制御する必要が無くなるので、送信部３２は、回路構成がより単純化され、回路規模や製造コストをより低減させることができる。これにより無線通信部３１は、上述したように無線通信処理を行うことにより、互いに異なる周波数帯を利用する複数の無線通信を行う場合に、他の周波数帯との干渉（妨害）を低減させることができる。すなわち、無線通信部３１および通信装置１５０は、製造コストや回路規模をより低減させることができる。
【０１７７】
なお、このように所定の周波数帯域成分のみを遮断（または低減）するバンドリジェクトフィルタの代わりに、所定の周波数帯域成分のみを通過させるバンドパスフィルタが用いられるようにしてももちろんよい。この場合、バンドパスフィルタは、例えば、２．４ＧＨｚ帯通信用送信制御部６１を用いて信号を送信する場合、２．４ＧＨｚ帯の周波数成分のみを通過させるように動作させ、５ＧＨｚ帯通信用送信制御部６２を用いて信号を送信する場合、５ＧＨｚ帯の周波数成分のみを通過させるように動作させる。このようにすることにより、広帯域パワーアンプ４３の出力より、必要な周波数成分のみを抽出することができ、他の周波数成分に対する干渉を抑制することができるようになる。
【０１７８】
以上のバンドリジェクトフィルタまたはバンドパスフィルタの遮断（または低減）または通過させる信号の周波数帯域は固定であってもよいし、可変であってもよい。また、図３のフィルタ部４４のように、バンドリジェクトフィルタまたはバンドパスフィルタに制御部を設け、送信信号の周波数帯域によって、フィルタとして動作したり、スルー回路として動作したりするようにしてももちろんよい。
【０１７９】
以上においては、無線通信部３１は、IEEE802.11aおよびIEEE802.11bの無線LAN通信規格に基づく無線通信、すなわち、２．４ＧＨｚ帯または５ＧＨｚ帯を利用した無線通信を行うように説明したが、これに限らず、無線通信の方式はどのような方式であってもよく、また、これらの無線通信に使用される周波数帯も、互いに異なる周波数帯を利用するものであれば、どのような周波数帯であってもよい。
【０１８０】
また、以上においては、無線通信部３１は、２．４ＧＨｚ帯の送受信信号に含まれる高調波成分による、５ＧＨｚ帯の送受信信号に対する干渉（妨害）を抑制するように説明したが、これに限らず、例えば、５ＧＨｚ帯の送受信信号に含まれる低調波成分による２．４ＧＨｚ帯の送受信信号に対する干渉（妨害）を抑制する等、他の周波数帯の信号に対する干渉（妨害）を抑制するようにしていればよい。
【０１８１】
さらに、無線通信部３１は、互いに異なる規格に基づき、互いに異なる周波数帯を利用する３つ以上の規格に基づく、３種類の送信信号を出力することができるようにしてもよい。この場合、無線通信部３１は、フィルタ部４４の代わりに、図１３に示されるようなバンドリジェクトフィルタやバンドパスフィルタ等を用いるようにしてもよいし、ローパスフィルタとハイパスフィルタを組み合わせて用いるようにしてもよい。
【０１８２】
なお、受信部３３のフィルタ部４７についても同様であり、フィルタ部４７の代わりにバンドリジェクトフィルタやバンドパスフィルタを用いるようにすることも可能である。
【０１８３】
図２に示される無線通信部３１においては、送信部３２にフィルタ部４４を設け、さらに、受信部３３にフィルタ部４７を設けるように説明したが、これに限らず、例えば、送信部３２にのみフィルタ部４４を設け、図２のフィルタ部４７を省略するようにしてもよい。
【０１８４】
図１５は、本発明を適用した無線通信部の他の構成例を示すブロック図である。図１５において、無線通信部２０１は、基本的に図２の無線通信部３１と同様の構成であり、無線通信部３１と同様に、２．４ＧＨｚ帯の信号を送受信するとともに、５ＧＨｚ帯の信号を送受信するデュアルバンドの通信部である。無線通信部２０１の送信部３２は、図２の無線通信部３１の場合と同様に、広帯域パワーアンプ４３の後段にフィルタ部４４が設けられているが、受信部２１３は、図２の受信部３３の場合と異なり、フィルタ部４７を有しておらず、スイッチ回路４５より出力された受信信号は、広帯域ローノイズアンプ４８に供給される。
【０１８５】
すなわち、無線通信部２０１は、無線通信部３１よりフィルタ部４７を省略した構成となっている。このようにすることで、無線通信部２０１は、受信信号に含まれる２．４ＧＨｚ帯の信号の高調波成分を除去（または低減）することはできないが、送信信号に含まれる２．４ＧＨｚ帯の信号の高調波成分を除去（または低減）することができ、さらに、フィルタ部４７を省略している分、無線通信部３１と比較して製造コストや回路規模をより低減させることができる。すなわち、無線通信部２０１は、妨害波（不要な高調波成分や低調波成分）の除去能力については無線通信部３１より劣るが、その分、製造コストや回路規模をより低減させることができる。従って、例えば、受信信号に含まれる妨害波の割合が少なく、受信部３３において妨害波を除去（または低減）する必要が無い場合、このような無線通信部２０１（受信部２１３）を適用することにより、無線通信において十分に妨害波を除去することができるだけでなく、さらに、無線通信部の製造コストや回路規模をより低減させることができる。
【０１８６】
逆に、受信部３３にのみフィルタ部４７を設け、図２のフィルタ部４４を省略するようにしてももちろんよい。
【０１８７】
図１６は、本発明を適用した無線通信部の、さらに他の構成例を示すブロック図である。図１６において、無線通信部２２１は、基本的に図２の無線通信部３１と同様の構成であり、無線通信部３１と同様に、２．４ＧＨｚ帯の信号を送受信するとともに、５ＧＨｚ帯の信号を送受信するデュアルバンドの通信部である。無線通信部２２１の受信部３３は、図２の無線通信部３１の場合と同様に、スイッチ回路４５の後段にフィルタ部４７が設けられているが、送信部２２２は、図２の送信部３２の場合と異なり、フィルタ部４４を有しておらず、広帯域パワーアンプ４３より出力された送信信号は、スイッチ回路４５に供給される。
【０１８８】
すなわち、無線通信部２２１は、無線通信部３１よりフィルタ部４４を省略した構成となっている。このようにすることで、無線通信部２２１は、送信信号に含まれる２．４ＧＨｚ帯の信号の高調波成分を除去（または低減）することはできないが、受信信号に含まれる２．４ＧＨｚ帯の信号の高調波成分を除去（または低減）することができ、さらに、フィルタ部４４を省略している分、無線通信部３１と比較して製造コストや回路規模をより低減させることができる。すなわち、無線通信部２２１は、妨害波（不要な高調波成分や低調波成分）の除去能力については無線通信部３１より劣るが、その分、製造コストや回路規模をより低減させることができる。従って、例えば、送信信号に含まれる妨害波の割合が少なく、送信部３２において妨害波を除去（または低減）する必要が無い場合、このような無線通信部２２１を適用することにより、無線通信において十分に妨害波を除去することができるだけでなく、さらに、無線通信部の製造コストや回路規模をより低減させることができる。
【０１８９】
また、図２において、無線通信部３１は、１本のアンテナ４６を用いて送信信号を出力し、受信信号を受信するように説明したが、例えば、図１７に示されるように、ダイバーシチアンテナを用いるようにしてもよい。
【０１９０】
図１７において、無線通信部２３１は、基本的に図２の無線通信部３１と同様の構成であるが、スイッチ回路４５の代わりに、直列に接続された２つのSPDT（Single Pole Double Throw）スイッチ回路２４１とSPDTスイッチ回路２４２が設けられており、さらに、SPDTスイッチ回路２４２には、２本のアンテナ２４３およびアンテナ２４４がダイバーシチアンテナとして接続されている。
【０１９１】
すなわち、送信時には、SPDTスイッチ回路２４１がフィルタ部４４をSPDTスイッチ回路２４２に接続し、SPDTスイッチ回路２４２がSPDTスイッチ回路２４１をアンテナ２４３またはアンテナ２４４に接続することにより、フィルタ部４４の出力をアンテナ２４３またはアンテナ２４４に供給させる。また、受信時には、SPDTスイッチ回路２４２がアンテナ２４３またはアンテナ２４４をSPDTスイッチ回路２４１に接続し、SPDTスイッチ回路２４１がSPDTスイッチ回路２４２をフィルタ部４７に接続することにより、アンテナ２４３またはアンテナ２４４において受信された受信信号をフィルタ部４７に供給させる。
【０１９２】
従って、無線通信部２３１は、SPDTスイッチ回路２４１、SPDTスイッチ回路２４２、アンテナ２４３、並びにアンテナ２４４を含む送信部２３２と、SPDTスイッチ回路２４１、SPDTスイッチ回路２４２、アンテナ２４３、並びにアンテナ２４４を含む受信部２３３とにより構成される。
【０１９３】
なお、図１７において、無線通信部２３１は、２つのSPDTスイッチ回路２４１およびSPDTスイッチ回路２４２を含む、送信部２３２および受信部２３３により構成されるように説明したが、これに限らず、例えば、２つのSPDTスイッチ回路２４１およびSPDTスイッチ回路２４２が１つのDPDTスイッチ回路（Double Pole Double Throw）により構成されるようにしてももちろんよい。
【０１９４】
以上においては、無線通信における処理について説明したが、互いに異なる周波数の搬送波を用いた複数の通信を行う場合であれば、通信媒体は無線であっても有線であってももちろんよい。その場合、例えば、図２の無線通信部３１（その場合、有線通信部となる）において、アンテナ４６の代わりに、他の装置の通信部と接続されたケーブル（伝送線路）が設けられる。
【０１９５】
上述した一連の処理は、ハードウェアにより実行させることもできるし、上述したようにソフトウェアにより実行させることもできる。一連の処理をソフトウェアにより実行させる場合には、そのソフトウェアを構成するプログラムが専用のハードウェアに組み込まれているコンピュータ、または、各種のプログラムをインストールすることで、各種の機能を実行することが可能な、例えば汎用のパーソナルコンピュータなどに、記録媒体等からインストールされる。
【０１９６】
記録媒体は、例えば、図１２に示されるように、コンピュータとは別に、ユーザにプログラムを提供するために配布される、プログラムが記録されている磁気ディスク（フレキシブルディスクを含む）、光ディスク（CD-ROM（Compact Disc - Read Only Memory）,CD-R（Compact Disc - Recordable）,CD-RW（Compact Disc - ReWritable）,DVD-ROM（Digital Versatile Disc - Read Only Memory）,DVD-RAM（Digital Versatile Disc - Random Access Memory）,DVD-R（Digital Versatile Disc - Recordable）,DVD-RW（Digital Versatile Disc - ReWritable）,DVD+R（Digital Versatile Disc + Recordable）,DVD+RW（Digital Versatile Disc + ReWritable）を含む）、光磁気ディスク（MD（Mini-Disc）（登録商標）を含む）、若しくは半導体メモリなどよりなるパッケージメディアを含むリムーバブルメディア３４６により構成されるだけでなく、コンピュータに予め組み込まれた状態でユーザに提供される、プログラムが記憶されているROM１５２や記憶部１６３が含まれるハードディスクなどで構成される。
【０１９７】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１９８】
また、本明細書において、システムとは、複数の装置により構成される装置全体を表すものである。
【図面の簡単な説明】
【０１９９】
【図１】従来の無線通信装置の構成例を示すブロック図である。
【図２】本発明を適用した無線通信部の構成例を示すブロック図である。
【図３】図２のフィルタ部の構成例を示すブロック図である。
【図４】図２のフィルタ部の入出力特性の例を示す図である。
【図５】図２のフィルタ部の入出力特性の、他の例を示す図である。
【図６】図２のフィルタ部の構成例を示すブロック図である。
【図７】図２のフィルタ部の入出力特性の例を示す図である。
【図８】図２のフィルタ部の入出力特性の、他の例を示す図である。
【図９】送受信処理の例を説明するフローチャートである。
【図１０】送受信処理の例を説明する、図９に続くフローチャートである。
【図１１】フィルタ設定処理の詳細の例を説明するフローチャートである。
【図１２】本発明を適用した通信装置の構成例を示す図である。
【図１３】バンドリジェクトフィルタの構成例を示す図である。
【図１４】図１３のバンドリジェクトフィルタの入出力特性の例を示す図である。
【図１５】本発明を適用した無線通信部の、他の構成例を示すブロック図である。
【図１６】本発明を適用した無線通信部の、さらに他の構成例を示すブロック図である。
【図１７】本発明を適用した無線通信部の、さらに他の構成例を示すブロック図である。
【符号の説明】
【０２００】
１  無線通信装置，  ３１  無線通信部，  ３２  送信部，  ３３  受信部，  ４１  通信制御部，  ４２  ダイプレクサ回路，  ４３  広帯域パワーアンプ，  ４４  フィルタ部，  ４５  スイッチ回路，  ４６  アンテナ，  ４７  フィルタ部，  ４８  広帯域ローノイズアンプ，  ４９  ダイプレクサ回路，  ５１  送信制御部，  ５２  受信制御部，  ６１  ２．４ＧＨｚ帯通信用送信制御部，  ６２  ５ＧＨｚ帯通信用送信制御部，  ６３  ２．４ＧＨｚ帯通信用受信制御部，  ６４  ５ＧＨｚ帯通信用受信制御部，  ７２  フィルタ処理部，  ７５  制御部，  １０２  フィルタ部，  １０５  制御部，  １５０  通信装置，  １５１  CPU，  １７０  バンドリジェクトフィルタ，  ２０１  無線通信部，  ２１３  受信部，  ２２１  無線通信部，  ２３１  無線通信部，  ２３３  受信部，  ２４１  SPDTスイッチ回路，  ２４２  SPDTスイッチ回路，  ２４３  アンテナ，  ２４４  アンテナ
【図１】
2005136896.tif 000003
【図２】
2005136896.tif 000004
【図３】
2005136896.tif 000005
【図４】
2005136896.tif 000006
【図５】
2005136896.tif 000007
【図６】
2005136896.tif 000008
【図７】
2005136896.tif 000009
【図８】
2005136896.tif 000010
【図９】
2005136896.tif 000011
【図１０】
2005136896.tif 000012
【図１１】
2005136896.tif 000013
【図１２】
2005136896.tif 000014
【図１３】
2005136896.tif 000015
【図１４】
2005136896.tif 000016
【図１５】
2005136896.tif 000017
【図１６】
2005136896.tif 000018
【図１７】
2005136896.tif 000019